(57)【要約】【課題】所定期間におけるエネルギー消費量の調整要求を受けて機器の制御を行う機器制御装置であって、機器のユーザが、デマンドレスポンス制御（調整要求を受けて行われる所定期間の機器のエネルギー消費量の調整制御）が適切に実行されたか否かを容易に判断可能な機器制御装置を提供する。【解決手段】アグリゲータ１０は、抑制要求期間における消費電力の調整要求を受けて機器の制御を行う。アグリゲータは、通信部１１と、判定部１５ｃと、を備える。通信部は、機器のユーザに対して情報を出力する。判定部は、デマンドレスポンス制御の成否を、抑制要求期間における機器の消費電力に関する情報に基づいて判定し、通信部に出力させる。デマンドレスポンス制御は、調整要求を受けて行われる抑制要求期間の機器の消費電力の調整制御である。【選択図】図２
2016178824.tif 000002
【特許請求の範囲】
【請求項１】
所定期間におけるエネルギー消費量の調整要求を受けて機器（３０）の制御を行う機器制御装置であって、
前記機器のユーザに対して情報を出力する出力部（１１,２２１,２２３）と、
前記調整要求を受けて行われる前記所定期間の前記機器のエネルギー消費量の調整制御である、デマンドレスポンス制御の成否を、前記所定期間における前記機器の消費エネルギーに関する情報に少なくとも基づいて判定し、前記出力部に出力させる判定部（１５ｃ,２２５ｃ）と、
を備えた、機器制御装置（１０,２２０）。
【請求項２】
前記出力部は、前記判定部により成否が判定された前記デマンドレスポンス制御に関し、該デマンドレスポンス制御を実行することで前記ユーザが獲得したインセンティブ金額を更に出力する、
請求項１に記載の機器制御装置。
【請求項３】
前記判定部（１５ｃ）は、前記デマンドレスポンス制御の成否を、該デマンドレスポンス制御を実行することで前記ユーザが獲得したインセンティブ金額に更に基づいて判定する、
請求項１又は２に記載の機器制御装置（１０）。
【請求項４】
前記判定部は、前記デマンドレスポンス制御の成否を、前記所定期間中又は前記所定期間終了時の前記ユーザの快適性に関する指標に更に基づいて判定する、
請求項１から３のいずれか１項に記載の機器制御装置。
【請求項５】
前記快適性に関する指標には、温度、湿度、照度、および二酸化炭素濃度の少なくとも１つを含む、
請求項４に記載の機器制御装置。
【請求項６】
前記調整要求にエネルギー消費量の目標値が含まれない場合に、前記判定部（２２５ｃ）は、前記所定期間における前記機器の消費エネルギーに関する情報としての、前記所定期間に前記デマンドレスポンス制御を実行し前記機器のエネルギー消費量を調整することで前記ユーザが獲得した金銭的利益の額と、所定の基準額とを比較することで、前記デマンドレスポンス制御の成否を判定する、
請求項１に記載の機器制御装置（２２０）。
【請求項７】
前記出力部は、前記デマンドレスポンス制御の成否に関する詳細情報を更に出力する、
請求項１から６のいずれか１項に記載の機器制御装置。
【請求項８】
前記出力部は、前記判定部により成否が判定された前記デマンドレスポンス制御に対するアドバイスを更に出力する、
請求項１から７のいずれか１項に記載の機器制御装置。
【発明の詳細な説明】
【技術分野】
【０００１】
本発明は、機器制御装置、特に、所定期間におけるエネルギー消費量の調整要求を受けて機器の制御を行う機器制御装置に関する。
【背景技術】
【０００２】
エネルギーの需給バランスを図るため、エネルギーの供給側が需要側にエネルギー消費量の調整を要求し、その要求に基づいて需要側がエネルギー消費量を調整する、デマンドレスポンスの導入が進められつつある。
【０００３】
例えば、特許文献１（特開２０１４−２１７１５７号公報）には、供給側からの電力消費量の調整要求に基づいて、家庭等の需要側において、各種機器の電力消費量を調整する電力管理機器が開示されている。電力管理機器は、電力消費量の調整要求受付時に、所定の方式で機器の動作を制御することで、機器のエネルギー消費量を調整している。
【発明の概要】
【発明が解決しようとする課題】
【０００４】
しかし、実際には、エネルギーの需要側の事情等によって、エネルギー消費量の調整要求時に、機器の動作が所定の方式通りに制御されない事態が起こりうる。そのため、エネルギーの需要者（機器のユーザ）は供給側からの要求に応じて適切な機器の制御を実行しているつもりであっても、実際には、十分なエネルギー消費量の調整が実現されないという事態が発生しうる。また、所定の方式通りに全ての機器の動作が制御されるとしても、所定の方式が適切でない場合には、需要側において十分なエネルギー消費量の調整が実現されないという事態が発生しうる。
【０００５】
このような事態に対し、需要者に対し、エネルギー使用量やエネルギー料金が情報として提示される場合があるが、特に、家庭等、エネルギー管理に関する専門家がいない場合には、これらの情報が提示されたとしても、需要者が、エネルギー消費量の調整要求を受けて行われる機器の制御が、毎回、適切に行われているかを判断することは困難である。
【０００６】
本発明の課題は、所定期間におけるエネルギー消費量の調整要求を受けて機器の制御を行う機器制御装置であって、機器のユーザが、デマンドレスポンス制御（調整要求を受けて行われる所定期間の機器のエネルギー消費量の調整制御）が適切に実行されたか否かを容易に判断可能な機器制御装置を提供することにある。
【課題を解決するための手段】
【０００７】
本発明の第１観点に係る機器制御装置は、所定期間におけるエネルギー消費量の調整要求を受けて機器の制御を行う。当該機器制御装置は、出力部と、判定部と、を備える。出力部は、機器のユーザに対して情報を出力する。判定部は、デマンドレスポンス制御の成否を、所定期間における機器の消費エネルギーに関する情報に少なくとも基づいて判定し、出力部に出力させる。デマンドレスポンス制御は、調整要求を受けて行われる所定期間の機器のエネルギー消費量の調整制御である。
【０００８】
本発明の第１観点に係る機器制御装置では、機器のユーザに対し、デマンドレスポンス制御の成否が出力されるため、機器のユーザは、デマンドレスポンス制御が適切に実行されたかを容易に判断することができる。
【０００９】
本発明の第２観点に係る機器制御装置は、第１観点に係る機器制御装置であって、出力部は、判定部により成否が判定されたデマンドレスポンス制御に関し、該デマンドレスポンス制御を実行することでユーザが獲得したインセンティブ金額を更に出力する。
【００１０】
本発明の第２観点に係る機器制御装置では、機器のユーザに対し、デマンドレスポンス制御の成否に加え、デマンドレスポンス制御により獲得されるインセンティブ金額も出力されるため、デマンドレスポンス制御によりどれだけのメリットを得ることができたのかを機器のユーザが定量的に把握することができる。
【００１１】
本発明の第３観点に係る機器制御装置は、第１観点又は第２観点に係る機器制御装置であって、判定部は、デマンドレスポンス制御の成否を、該デマンドレスポンス制御を実行することでユーザが獲得したインセンティブ金額に更に基づいて判定する。
【００１２】
本発明の第３観点に係る機器制御装置では、デマンドレスポンス制御の成否を、機器の消費エネルギーに関する情報に加え、機器のユーザが獲得したインセンティブ金額に基づいて判定することができ、多面的にデマンドレスポンス制御の成否を判定することができる。
【００１３】
本発明の第４観点に係る機器制御装置は、第１観点から第３観点のいずれかに係る機器制御装置であって、判定部は、デマンドレスポンス制御の成否を、所定期間中又は所定期間終了時のユーザの快適性に関する指標に更に基づいて判定する。
【００１４】
本発明の第４観点に係る機器制御装置では、デマンドレスポンス制御の成否を、機器の消費エネルギーに関する情報に加え、ユーザの快適性に基づいて判定することができ、多面的にデマンドレスポンス制御の成否を判定することができる。
【００１５】
本発明の第５観点に係る機器制御装置は、第４観点に係る機器制御装置であって、快適性に関する指標には、温度、湿度、照度、および二酸化炭素濃度の少なくとも１つを含む。
【００１６】
本発明の第５観点に係る機器制御装置では、空調、照明、換気等に関連する快適性指標に基づいて、デマンドレスポンス制御の成否を判定することができる。
【００１７】
本発明の第６観点に係る機器制御装置は、第１観点に係る機器制御装置であって、調整要求にエネルギー消費量の目標値が含まれない場合に、判定部は、所定期間における機器の消費エネルギーに関する情報としての、所定期間にデマンドレスポンス制御を実行し機器のエネルギー消費量を調整することでユーザが獲得した金銭的利益の額と、所定の基準額とを比較することで、デマンドレスポンス制御の成否を判定する。
【００１８】
本発明の第６観点に係る機器制御装置では、調整要求がエネルギー消費量の目標値を含まない場合であっても、デマンドレスポンスを実行して機器の消費エネルギーを調整することで機器のユーザが獲得した金銭的利益の額に基づいてデマンドレスポンス制御の成否を判定することができる。
【００１９】
本発明の第７観点に係る機器制御装置は、第１観点から第６観点のいずれかに係る機器制御装置であって、出力部は、デマンドレスポンス制御の成否に関する詳細情報を更に出力する。
【００２０】
本発明の第７観点に係る機器制御装置では、デマンドレスポンス制御の成否に加え、デマンドレスポンス制御の成否に関する詳細情報が出力されるため、機器のユーザは、例えば、デマンドレスポンス制御の失敗の原因や、さらなる改善の余地等を把握することが容易である。
【００２１】
本発明の第８観点に係る機器制御装置は、第１観点から第７観点のいずれかに係る機器制御装置であって、出力部は、判定部により成否が判定されたデマンドレスポンス制御に対するアドバイスを更に出力する。
【００２２】
本発明の第８観点に係る機器制御装置では、デマンドレスポンス制御の成否に加え、デマンドレスポンス制御に対するアドバイスが出力されるため、ユーザは、デマンドレスポンス制御をどのように改善すべきか、あるいは、現状のデマンドレスポンス制御がベストなのか等を把握することが容易である。
【発明の効果】
【００２３】
本発明の第１観点に係る機器制御装置では、機器のユーザに対し、デマンドレスポンス制御の成否が出力されるため、機器のユーザは、デマンドレスポンス制御が適切に実行されたかを容易に判断することができる。
【００２４】
本発明の第２観点に係る機器制御装置では、デマンドレスポンス制御によりどれだけのメリットを得ることができたのかをユーザが定量的に把握することができる。
【００２５】
本発明の第３観点および第４観点に係る機器制御装置では、多面的にデマンドレスポンス制御の成否を判定することができる。
【００２６】
本発明の第５観点に係る機器制御装置では、空調、照明、換気等に関連する快適性指標に基づいて、デマンドレスポンス制御の成否を判定することができる。
【００２７】
本発明の第６観点に係る機器制御装置では、調整要求がエネルギー消費量の目標値を含まない場合であっても、デマンドレスポンスを実行して機器の消費エネルギーを調整することでユーザが獲得した金銭的利益の額に基づいてデマンドレスポンス制御の成否を判定することができる。
【００２８】
本発明の第７観点に係る機器制御装置では、ユーザが、デマンドレスポンス制御の失敗の原因や、さらなる改善の余地等を把握することが容易である。
【００２９】
本発明の第８観点に係る機器制御装置では、ユーザが、デマンドレスポンス制御をどのように改善すべきか、あるいは、現状のデマンドレスポンス制御がベストなのか等を把握することが容易である。
【図面の簡単な説明】
【００３０】
【図１】本発明の機器制御装置の第１実施形態に係るアグリゲータを含む、エネルギー管理システムを説明するための概略全体図である。
【図２】図１のエネルギー管理システムに含まれるアグリゲータのブロック図である。
【図３】図１のエネルギー管理システムに含まれる制御装置のブロック図である。
【図４】図１のエネルギー管理システムにおいて、制御装置の表示部に表示される制御成否表示画面の一例である。
【図５】図１のエネルギー管理システムにおいて、制御装置の表示部に表示される制御成否表示画面の他の例である。
【図６】図１のエネルギー管理システムにおいて、制御装置の表示部に表示される詳細表示画面の一例である。
【図７】図１のエネルギー管理システムにおいて、制御装置の表示部に表示される詳細表示画面の他の例である。
【図８】図１のエネルギー管理システムにおいて、制御装置の表示部に表示される詳細表示画面の他の例である。
【図９】本発明の機器制御装置の第２実施形態に係る制御装置を含む、エネルギー管理システムを説明するための概略全体図である。
【図１０】図９のエネルギー管理システムに含まれる制御装置のブロック図である。
【図１１】図９のエネルギー管理システムにおいて、制御装置の表示部に表示される制御成否表示画面の一例である。
【図１２】図９のエネルギー管理システムにおいて、制御装置の表示部に表示される詳細表示画面の一例である。
【図１３】図９のエネルギー管理システムにおいて、制御装置の表示部に表示される詳細表示画面の他の例である。
【発明を実施するための形態】
【００３１】
本発明に係る機器制御装置の実施形態について、図面を参照して説明する。なお、下記の実施形態は、具体例にすぎず、本発明の趣旨を逸脱しない範囲で適宜変更可能である。
【００３２】
＜第１実施形態＞
（１）全体構成
図１は、本発明の機器制御装置の第１実施形態に係るアグリゲータ１０を含む、電力管理システム１００の概略全体図である。
【００３３】
電力管理システム１００は、電力供給者としての電力会社１と、電力需要者としての複数の建物２と、複数の建物２における消費電力（エネルギー消費量）を管理するアグリゲータ１０とを主に含む（図１参照）。なお、本実施形態では、電力管理システム１００に含まれるアグリゲータ１０は１台であるが、これに限定されるものではなく、電力管理システム１００には複数のアグリゲータ１０が含まれてもよい。
【００３４】
電力会社１は、自ら発電した電力、および／又は、他者が発電した電力を、複数の建物２を含む電力需要者に供給する。電力会社１は、図１のように、管理装置１ａを有している。
【００３５】
管理装置１ａは、図１のように、アグリゲータ１０と、インターネット等の通信ネットワーク３ａにより接続されている。管理装置１ａは、電力会社１の電力供給量および電力需要者の電力需要量を予測し、電力供給量と電力需要量とがバランスするかを判断する。管理装置１ａは、電力需要量と電力供給量とがバランスしないと判断した場合に、アグリゲータ１０に対して、アグリゲータ１０が管理する建物２における消費電力の調整を要求する。具体的には、管理装置１ａは、電力需要が電力供給を上回ると判断した場合に、アグリゲータ１０に対して、アグリゲータ１０が管理する建物２における消費電力の抑制を要求する。
【００３６】
管理装置１ａは、アグリゲータ１０に対して消費電力の抑制を要求する際に、消費電力の抑制を要求する期間（以後、抑制要求期間と呼ぶ場合がある）に関する情報、抑制要求期間にアグリゲータ１０の管理する複数の建物２の全体において許容される最大消費電力（以後、全体許容消費電力と呼ぶ場合がある）に関する情報、および、消費電力の抑制に応じた場合の報奨金（以後、抑制に対する報奨金と呼ぶ場合がある）に関する情報を併せて送信する。
【００３７】
アグリゲータ１０は、複数の建物２における消費電力を管理する装置である。アグリゲータ１０は、図１のように、電力会社１の管理装置１ａと、インターネット等の通信ネットワーク３ａにより接続されている。また、アグリゲータ１０は、図１のように、各建物２に設置された後述する制御装置２０および電力計５０と、インターネット等の通信ネットワーク３ｂにより接続されている。
【００３８】
アグリゲータ１０は、電力会社１から消費電力の調整要求を受け付け、受け付けた調整要求を実現するよう、建物２に設置された後述する制御装置２０に対し、消費電力の抑制指令を送信する。
【００３９】
アグリゲータ１０は、管理装置１ａが建物２における消費電力の抑制を要求する際に、管理装置１ａから、抑制要求期間に関する情報、全体許容消費電力に関する情報、抑制に対する報奨金に関する情報を消費電力の抑制要求（調整要求）として受け付ける。また、アグリゲータ１０は、制御装置２０から各種情報を受け付ける（各種情報の内容は後述する）。また、アグリゲータ１０は、電力計５０から各建物２の消費電力に関する情報を受け付ける。
【００４０】
アグリゲータ１０は、管理装置１ａからの消費電力の抑制要求に対し、抑制要求期間に、アグリゲータ１０が管理する複数の建物２における消費電力の合計が全体許容消費電力以下になるよう、各制御装置２０に対して消費電力の抑制指令を送信する。複数の建物２では、基本的に、消費電力の抑制指令に基づいて、抑制要求期間中に、建物２に設置される後述の複数の機器３０の少なくとも一部の消費電力の調整制御（以後、デマンドレスポンス制御と呼ぶ場合がある）が行われる。
【００４１】
抑制要求期間に、アグリゲータ１０が管理する複数の建物２における消費電力の合計が全体許容消費電力以下に調整されると、アグリゲータ１０の運用者には、消費電力の調整要求時に提示された抑制に対する報奨金が、電力会社１から支払われる。アグリゲータ１０の運用者は、抑制に対する報奨金の一部を、デマンドレスポンス制御が行われた建物２の使用者等（機器３０のユーザ）に対して支払う。アグリゲータ１０は、抑制要求期間後（建物２においてデマンドレスポンス制御が実行された後）に、各建物２の消費電力に関する情報に基づいて、各建物２の使用者等に対して支払う金額（以後、インセンティブ金額と呼ぶ）を決定する。
【００４２】
また、アグリゲータ１０は、制御装置２０から受信する各種情報や、電力計５０から受信する消費電力に関する情報に基づいて、各建物２におけるデマンドレスポンス制御の成否を判定し、判定結果を制御装置２０に送信する。
【００４３】
建物２は、ここでは住宅である。建物２は、建物全体を意味するものでなくてもよく、例えば集合住宅内の１つの区画であってもよい。また、建物２は、住宅に限定されるものではなく、オフィスビル、商業施設、工場等であってもよい。
【００４４】
建物２には、制御装置２０、複数の機器３０、複数のセンサ４０、および電力計５０が設置されている（図１参照）。なお、図１では、建物２に、複数の機器３０およびセンサ４０が設置されているが、機器３０、および／又は、センサ４０は、１台であってもよい。制御装置２０は、複数のセンサ４０、および電力計５０と、ＬＡＮ等の通信ネットワーク３ｃにより接続されている（図１参照）。また、制御装置２０は、少なくとも一部の機器３０とＬＡＮ等の通信ネットワーク３ｃにより接続されている（図１参照）。なお、制御装置２０は、全ての機器３０と通信ネットワーク３ｃにより接続されていてもよい。また、制御装置２０は、アグリゲータ１０と、通信ネットワーク３ｂにより接続されている（図１参照）。電力計５０も、アグリゲータ１０と、通信ネットワーク３ｂにより接続されている（図１参照）。
【００４５】
複数の機器３０は、各種電気機器である。複数の機器３０には、例えば、エアコン、冷蔵庫、照明、換気扇、洗濯機、ドライヤー等を含む。ただし、機器３０の種類は、例示であって、これに限定されるものではない。通信ネットワーク３ｃを介して制御装置２０と接続された機器３０は、制御装置２０に対し、機器３０の運転／停止に関する情報や、機器３０の運転条件（例えば機器３０が例えばエアコンであれば、運転モードや設定温度等）に関する情報を、所定時間間隔（例えば１分間隔）で送信する。
【００４６】
建物２には、機器３０の消費電力を個別に計測する計測器３０ａが設けられている（図１参照）。計測器３０ａは、ＬＡＮ等の通信ネットワーク３ｃにより、制御装置２０と接続されている（図１参照）。なお、図１では、計測器３０ａは機器３０毎に設けられているが、これに限定されるものではない。計測器３０ａは、１台で２台以上の機器３０について消費電力を計測可能なものであってもよく、１台で全ての機器３０について消費電力を計測可能なものであってもよい。計測器３０ａは、機器３０の消費電力に関する情報を、所定時間間隔で制御装置２０に送信する。例えば、計測器３０ａは、１秒間隔で機器３０の消費電力を測定し、測定結果を制御装置２０に送信する。ただし、上記の計測器３０ａの動作は一例であって、これに限定されるものではない。例えば、計測器３０ａは、連続的に機器３０の消費電力の計測を行い、１分間隔で、過去１分間に計測された最大消費電力や平均電力の値を、制御装置２０に送信してもよい。
【００４７】
複数のセンサ４０は、建物２において、各種の、機器３０のユーザの快適性に関する指標（以後、快適性指標と呼ぶ場合がある）の値を測定するセンサである。複数のセンサ４０には、例えば、室温を測定する温度センサ、照度を測定する照度センサ、二酸化炭素濃度を測定する二酸化炭素濃度センサ等を含む。ただし、センサ４０の種類は、例示であって、これに限定されるものではない。例えば、センサ４０は、湿度を測定する湿度センサを含んでもよい。また、センサ４０には、上記の種類のセンサの一部又は全部が含まれなくてもよい。センサ４０は、所定時間間隔（例えば５分間隔）で、そのセンサ４０の計測対象である快適性指標の値を測定し、測定した値を制御装置２０に送信する。ただし、センサ４０の動作は一例であって、これに限定されない。例えば、センサ４０は、１分間隔で快適性指標の値を測定し、５回分の測定結果の平均値を、５分間隔で制御装置２０に送信するよう構成されてもよい。
【００４８】
電力計５０は、アグリゲータ１０および制御装置２０と通信可能なスマートメータである。電力計５０は、建物２における消費電力、消費電力量等を計測する。電力計５０は、所定時間間隔でアグリゲータ１０に建物２の消費電力に関する情報を送信する。例えば、電力計５０は、連続的に建物２の消費電力の計測を行い、１分間隔で、過去１分間に計測された最大消費電力の値を、アグリゲータ１０に送信する。ただし、電力計５０の動作は一例であって、上記のものに限定されない。例えば、電力計５０は、連続的に建物２の消費電力の計測を行い、１分間隔で過去１分間に計測された最大消費電力の値を取得し、取得した３０分間分の値を、時系列の情報として、アグリゲータ１０に一括して送信するよう構成されてもよい。また、例えば、電力計５０は、建物２の消費電力の計測を１秒間隔で行い、過去１分間に計測された消費電力の値を時系列の情報として、１分間隔でアグリゲータ１０に送信するよう構成されてもよい。
【００４９】
制御装置２０は、通信ネットワーク３ｃを介して接続された機器３０と通信を行い、また計測器３０ａから機器３０の消費電力に関する情報を受信することで、各機器３０の使用状況に関する情報を取得する。制御装置２０が取得する各機器３０の使用状況に関する情報には、各機器３０の運転／停止に関する情報、各機器３０の運転条件に関する情報、および、各機器３０の消費電力に関する情報が含まれる。また、制御装置２０は、複数のセンサ４０から各種測定値を取得する。
【００５０】
制御装置２０は、アグリゲータ１０から消費電力の抑制指令を受け付ける。制御装置２０は、アグリゲータ１０からの消費電力の抑制指令や、機器３０のユーザの制御装置２０に対する入力に基づいて、抑制要求期間中に、複数の機器３０の少なくとも一部を制御する。その結果、建物２では、デマンドレスポンス制御が実行され、建物２における消費電力が調整される。
【００５１】
制御装置２０は、機器３０のユーザにより入力された各種設定や、機器３０の使用状況に関する情報や、センサ４０の測定値を、アグリゲータ１０に対して送信する。アグリゲータ１０は、制御装置２０が送信するこれらの情報や、電力計５０が送信する消費電力に関する情報に基づいて、デマンドレスポンス制御の成否を各建物２について個別に判定し、その判定結果を判定対象の建物２に設置された制御装置２０に対して送信する。デマンドレスポンス制御の成否を受信した制御装置２０は、後述する表示部２３に、デマンドレスポンス制御の成否を表示する。
【００５２】
（２）詳細構成
以下に、電力管理システム１００に含まれる、アグリゲータ１０および制御装置２０について詳細に説明する。
【００５３】
（２−１）アグリゲータ
アグリゲータ１０は、管理対象の複数の建物２における消費電力を管理するコンピュータである。アグリゲータ１０は、機器制御装置の一例である。アグリゲータ１０は、管理装置１ａから、消費電力の調整要求、特にここでは、抑制要求期間における消費電力の抑制要求を受けて、建物２内に設置された複数の機器３０の少なくとも一部の制御を行う。
【００５４】
アグリゲータ１０は、主に、通信部１１、入力部１２、表示部１３、記憶部１４、および制御部１５を備える（図２参照）。
【００５５】
（２−１−１）通信部
通信部１１は、通信ネットワーク３ａを介して接続される管理装置１ａ、および、通信ネットワーク３ｂを介して接続される制御装置２０および電力計５０と、アグリゲータ１０との通信を可能にする通信インターフェイスである。
【００５６】
通信部１１は、管理装置１ａ、制御装置２０、および、電力計５０から各種信号を受け付ける。以下に具体的に説明する。
【００５７】
通信部１１は、管理装置１ａから、所定期間における消費電力の調整要求を受け付ける。より具体的には、通信部１１は、管理装置１ａが建物２における消費電力の抑制を要求する際に、管理装置１ａから、抑制要求期間に関する情報、全体許容消費電力に関する情報、および、抑制に対する報奨金に関する情報を消費電力の抑制要求（調整要求）として受信する。通信部１１が受信した消費電力の抑制要求の内容、つまり、抑制要求期間に関する情報、全体許容消費電力に関する情報、抑制に対する報奨金に関する情報は、後述する記憶部１４の調整要求記憶領域１４ａに記憶される。
【００５８】
通信部１１は、制御装置２０のそれぞれから、快適性指標の目標値を受信する。快適性指標の目標値は、具体的には、例えば、室温、照度、および二酸化炭素濃度の目標値である。また、通信部１１は、制御装置２０のそれぞれから、デマンドレスポンス制御を実行することで獲得できるインセンティブ金額の目標値を受信する。快適性指標の目標値、および、インセンティブ金額の目標値は、各制御装置２０の後述する入力部２２に、機器３０のユーザにより入力される値である。通信部１１が受信した、快適性指標の目標値、および、インセンティブ金額の目標値は、後述する記憶部１４の判定基準記憶領域１４ｃに、建物２別に（制御装置２０別に）記憶される。
【００５９】
また、通信部１１は、各制御装置２０から、所定時間間隔毎に機器３０の使用状況に関する情報を受信する。機器３０の使用状況に関する情報は、機器３０別の情報である。機器３０の使用状況に関する情報には、機器３０の運転／停止に関する情報、機器３０の運転条件に関する情報、機器３０の消費電力に関する情報を含む。通信部１１が受信した、機器３０の使用状況に関する情報は、後述する記憶部１４の機器使用状況記憶領域１４ｄに、機器３０別に（情報が、どの建物２に設置された、どの機器３０に関する情報であるかを判別可能に）記憶される。機器使用状況記憶領域１４ｄには、機器３０の使用状況に関する情報が、時系列の情報として記憶される。
【００６０】
また、通信部１１は、各制御装置２０から、所定時間間隔毎にセンサ４０の測定値を受信する。通信部１１が受信するセンサ４０の測定値は、例えば、室温、照度、および二酸化炭素濃度である。通信部１１が受信した、センサ４０の測定値は、後述する記憶部１４の快適性指標値記憶領域１４ｅに、センサ４０別に（測定値が、どの建物２に設置された、どのセンサ４０の測定値であるかを判別可能に）記憶される。快適性指標値記憶領域１４ｅには、センサ４０の測定値が、時系列の情報として記憶される。
【００６１】
通信部１１は、所定時間間隔毎に電力計５０から各建物２の消費電力に関する情報を受信する。具体的には、通信部１１は、電力計５０から１分間隔で送信されてくる建物２の消費電力に関する情報を受信する。通信部１１が受信した、各建物２の消費電力に関する情報は、時系列の情報として、後述する記憶部１４の消費電力記憶領域１４ｆに、建物２別に（制御装置２０別に）記憶される。
【００６２】
通信部１１は、制御装置２０に各種信号を送信する。以下に具体的に説明する。
【００６３】
通信部１１は、後述する制御部１５の抑制指令生成部１５ａが建物２のそれぞれに対して個別に生成する消費電力の抑制指令を、各建物２の制御装置２０に送信する。
【００６４】
また、通信部１１は、機器３０のユーザに対して情報を出力する。つまり、通信部１１は、出力部の一例である。具体的には、通信部１１は、制御装置２０に対して情報を出力（送信）する。制御装置２０に対して出力された情報は、後述する制御装置２０の表示部２３に、機器３０のユーザに対する情報として表示される。通信部１１は、例えば、後述する制御部１５の判定部１５ｃにより判定される、各建物２における、抑制要求期間の機器３０の消費電力の調整制御（デマンドレスポンス制御）の成否を、判定対象の建物２に設置された制御装置２０に出力する。また、通信部１１は、例えば、デマンドレスポンス制御の成否に関する詳細情報、および、判定部１５ｃにより成否が判定されたデマンドレスポンス制御に対するアドバイスを、デマンドレスポンス制御の成否の判定対象の建物２に設置された制御装置２０に出力する。
【００６５】
（２−１−２）入力部
入力部１２は、キーボードやマウス等の入力インターフェイスである。アグリゲータ１０の運用者は、アグリゲータ１０に対する各種指令や各種情報を、入力部１２を介して入力可能である。
【００６６】
（２−１−３）表示部
表示部１３は、例えば、液晶ディスプレイである。表示部１３には、アグリゲータ１０に関する各種情報を表示可能である。
【００６７】
（２−１−４）記憶部
記憶部１４は、主に、ＲＡＭ、ＲＯＭ、およびハードディスク等を含む。記憶部１４には、制御部１５により使用される各種プログラムや、各種情報が記憶される。
【００６８】
記憶部１４は、情報の記憶領域として、調整要求記憶領域１４ａ、目標消費電力記憶領域１４ｂ、判定基準記憶領域１４ｃ、機器使用状況記憶領域１４ｄ、快適性指標値記憶領域１４ｅ、消費電力記憶領域１４ｆ、および、インセンティブ金額記憶領域１４ｇを有する。
【００６９】
（２−１−４−１）調整要求記憶領域
調整要求記憶領域１４ａには、通信部１１が管理装置１ａから受信した、抑制要求期間に関する情報、全体許容消費電力に関する情報、および抑制に対する報奨金に関する情報が記憶される。
【００７０】
（２−１−４−２）目標消費電力記憶領域
目標消費電力記憶領域１４ｂには、後述する制御部１５の抑制指令生成部１５ａが抑制指令を生成する際に算出する、建物２別の、抑制要求期間における消費電力の目標値（抑制要求期間に建物２で許容される消費電力の最大値）が記憶される。
【００７１】
（２−１−４−３）判定基準記憶領域
判定基準記憶領域１４ｃには、通信部１１が各制御装置２０から受信した、快適性指標の目標値（例えば、室温、照度、および二酸化炭素濃度の目標値）と、インセンティブ金額の目標値とが、建物２別に（制御装置２０別に）記憶される。
【００７２】
（２−１−４−４）機器使用状況記憶領域
機器使用状況記憶領域１４ｄは、通信部１１が各制御装置２０から受信した、機器３０の使用状況に関する情報を記憶する。機器使用状況記憶領域１４ｄに記憶される機器３０の使用状況に関する情報には、機器３０の運転／停止に関する情報、機器３０の運転条件に関する情報、機器３０の消費電力に関する情報を含む。機器使用状況記憶領域１４ｄには、機器３０の使用状況に関する情報が、機器３０別の時系列の情報として記憶される。
【００７３】
（２−１−４−５）快適性指標値記憶領域
快適性指標値記憶領域１４ｅは、通信部１１が各制御装置２０から受信した、センサ４０の測定値（快適性指標値）を記憶する。具体的には、快適性指標値記憶領域１４ｅは、各建物２のセンサ４０が測定した、室温、照度、および二酸化炭素濃度を記憶する。快適性指標値記憶領域１４ｅには、センサ４０の測定値が、センサ４０別の時系列の情報として記憶される。
【００７４】
（２−１−４−６）消費電力記憶領域
消費電力記憶領域１４ｆは、通信部１１が電力計５０から受信した、各建物２の消費電力に関する情報を記憶する。消費電力記憶領域１４ｆには、通信部１１が受信した各建物２の消費電力に関する情報が、建物２別に、時系列の情報として記憶される。
【００７５】
（２−１−４−７）インセンティブ金額記憶領域
インセンティブ金額記憶領域１４ｇは、後述する制御部１５のインセンティブ金額算出部１５ｂが各建物２に関して算出したインセンティブ金額を記憶する。
【００７６】
（２−１−５）制御部
制御部１５は、主にＣＰＵからなり、記憶部１４に記憶されたプログラムを実行することで各種処理を実行する。
【００７７】
制御部１５は、記憶部１４に記憶されたプログラムを実行することで、主に抑制指令生成部１５ａ、インセンティブ金額算出部１５ｂ、判定部１５ｃ、および画面生成部１５ｄとして機能する。
【００７８】
（２−１−５−１）抑制指令生成部
抑制指令生成部１５ａは、通信部１１が管理装置１ａから消費電力の調整要求を受信した時に、抑制要求期間に、建物２で機器３０の消費電力の調整制御（デマンドレスポンス制御）が実行されるように、制御装置２０に対する消費電力の抑制指令を生成する。なお、消費電力の抑制指令は、具体的には、制御装置２０に対し、その制御装置２０が、通信ネットワーク３ｃにより接続された機器３０のうち、どの機器３０の運転を、どのように制御するかを具体的に指示する指令である。
【００７９】
具体的には、抑制指令生成部１５ａは、以下の様に、消費電力の抑制指令を生成する。
【００８０】
初めに、抑制指令生成部１５ａは、建物２別に、デマンドレスポンス制御中の、建物２別の消費電力の目標値（抑制要求期間に許容される消費電力の最大値）を算出する。具体的には、抑制指令生成部１５ａは、調整要求記憶領域１４ａに記憶された全体許容消費電力に関する情報と、消費電力記憶領域１４ｆに記憶された各建物２の消費電力に関する情報と、に基づいて、建物２別の消費電力の目標値を算出する。
【００８１】
例えば、抑制指令生成部１５ａは、消費電力記憶領域１４ｆに記憶された、各建物２の最新の消費電力に関する情報に基づき、各建物２の最新の消費電力の大きさに比例するように、消費電力の抑制量を各建物２に割り当てる。ここで、消費電力の抑制量とは、現在の消費電力に対して抑制される消費電力の量を意味する。なお、各建物２に割り当てられる消費電力の抑制量は、各建物２の現在の消費電力に対し、各建物２に割り当てられた抑制量だけ消費電力が削減された場合に、全建物２の消費電力の合計が、全体許容消費電力を下回るように決定される。そして、抑制指令生成部１５ａは、消費電力記憶領域１４ｆに記憶された各建物２の最新の消費電力に関する情報（各建物２の最新の最大消費電力の値）から、各建物２に割り当てられた消費電力の抑制量を減じることで、各建物２の、抑制要求期間における消費電力の目標値を算出する。算出された、建物２別の、消費電力の目標値は、目標消費電力記憶領域１４ｂに記憶される。
【００８２】
なお、抑制指令生成部１５ａの建物２別の消費電力の目標値の算出方法は例示であって、これに限定されるものではない。例えば、抑制指令生成部１５ａは、全建物２の消費電力の抑制量が同一となるように、各建物２に消費電力の抑制量を割り当ててもよい。また、例えば、抑制指令生成部１５ａは、全建物２の一部だけに、消費電力の抑制量を割り当ててもよい。また、例えば、抑制指令生成部１５ａは、抑制要求期間内で、各建物２に割り当てられる消費電力の抑制量が変動するように、各建物２に消費電力の抑制量を割り当ててもよい。
【００８３】
次に、抑制指令生成部１５ａは、機器使用状況記憶領域１４ｄに記憶された機器３０の使用状況に関する情報に基づき、その建物２の消費電力の合計が算出された消費電力の目標値を下回るような、機器３０の制御を決定する。ここでの機器３０の制御の決定には、どの機器３０を制御の対象とするかの決定（制御対象の決定）と、その機器３０をどのように制御するかの決定（制御内容の決定）とを含む。なお、ここでは、制御装置２０に通信ネットワーク３ｃにより接続された機器３０だけを制御の対象とする。
【００８４】
抑制指令生成部１５ａにより決定される機器３０の制御内容には、例えば、機器３０の運転条件の変更（例えば、機器３０がエアコンであれば設定温度の変更等）、機器３０の停止、機器３０の運転時刻の変更（例えば、機器３０が洗濯機であれば、予約されている運転時刻を変更）を含む。ただし、これに限定されるものではなく、機器３０の特性に応じ適切な制御内容が決定されればよい。
【００８５】
抑制指令生成部１５ａによる制御対象の決定は、例えば、予め定められた優先順位に基づいて、あるいは、各制御装置２０に対して機器３０のユーザが入力した優先順位に基づいて行われる。
【００８６】
具体例を挙げて説明すれば、抑制指令生成部１５ａは、所定の優先順位に基づいて、例えば、初めに機器３０に含まれる換気扇を停止することを決定する。抑制指令生成部１５ａは、換気扇を停止しても、建物２の消費電力の合計が消費電力の目標値を下回らないと判断される場合、所定の優先順位に基づいて、次に、機器３０に含まれるエアコンの設定温度を所定温度だけ変更することを更に決定する。抑制指令生成部１５ａは、エアコンの設定温度を変更しても、建物２の消費電力の合計が消費電力の目標値を下回らないと判断される場合、機器３０に含まれる洗濯機の運転時刻を変更することを更に決定する。
【００８７】
なお、抑制指令生成部１５ａによる制御対象の決定は、上記の方法に限定されるものではない。例えば、抑制指令生成部１５ａは、機器使用状況記憶領域１４ｄに記憶された機器３０の使用状況に関する情報に基づき、現在の消費電力が多い順に、機器３０を制御対象に選択するように構成されてもよい。
【００８８】
最後に、抑制指令生成部１５ａは、決定された制御対象の機器３０が、決定された制御内容で制御されるよう、制御装置２０が機器３０を制御するための消費電力の抑制指令を生成する。抑制指令生成部１５ａに生成された消費電力の抑制指令は、抑制制御期間の開始前に、通信部１１を介して制御装置２０に送信される。
【００８９】
（２−１−５−２）インセンティブ金額算出部
インセンティブ金額算出部１５ｂは、抑制要求期間の終了後（各建物２においてデマンドレスポンス制御が実行された後）に、インセンティブ金額を算出する。インセンティブ金額は、各建物２でデマンドレスポンス制御が実行されたことに対して、各建物２の機器３０のユーザが獲得する金額である。なお、建物２が例えばオフィスビルや工場等である場合には、機器３０のユーザが獲得するとは、機器３０を使用する人が勤務している会社等が獲得する場合を含む。
【００９０】
インセンティブ金額算出部１５ｂは、調整要求記憶領域１４ａに記憶された抑制に対する報奨金に関する情報と、目標消費電力記憶領域１４ｂに記憶された建物２別の抑制要求期間における消費電力の目標値と、消費電力記憶領域１４ｆに記憶された建物２別の消費電力に関する情報とに基づいて、各建物２の機器３０のユーザが獲得するインセンティブ金額を算出する。
【００９１】
例えば、インセンティブ金額算出部１５ｂは、調整要求記憶領域１４ａに記憶された抑制に対する報奨金に関する情報に基づき、抑制に対する報奨金のうち所定の割合を、各建物２の機器３０のユーザに対して支払うインセンティブ金額の総額に決定する。次に、インセンティブ金額算出部１５ｂは、消費電力記憶領域１４ｆに記憶された建物２別の消費電力に関する情報（１分間毎の最大消費電力）に基づいて、抑制要求期間における最大消費電力の平均値を算出し、これを抑制要求期間における消費電力の目標値と比較して、各建物２の抑制要求期間における消費電力の目標値と最大消費電力の平均値との差（具体的には、最大消費電力の平均値から消費電力の目標値を減じた値）を算出する。また、インセンティブ金額算出部１５ｂは、消費電力記憶領域１４ｆに記憶された建物２別の時系列の消費電力に関する情報（１分間毎の最大消費電力）を、抑制要求期間における消費電力の目標値と比較して、各建物２において消費電力が、抑制要求期間における消費電力の目標値を超過していた超過時間を算出する。その上で、インセンティブ金額算出部１５ｂは、各建物２の、抑制要求期間における消費電力の目標値と最大消費電力の平均値との差と、消費電力が抑制要求期間における消費電力の目標値を超過していた超過時間とに基づいて、インセンティブ金額の総額を各建物２に割り振る。例えば、インセンティブ金額算出部１５ｂは、建物２の消費電力の目標値と最大消費電力の平均値との差の値が大きいほど、また、建物２の超過時間が短いほど、その建物２に多くの金額を割り当てるよう構成される。
【００９２】
ただし、インセンティブ金額算出部１５ｂによるインセンティブ金額の算出方法は一例である、これに限定されるものではない。例えば、インセンティブ金額の算出方法は、ある建物２において、抑制要求期間における消費電力の目標値を超過していた超過時間がなければインセンティブ金額を所定額とし、抑制要求期間において消費電力の目標値を超過していた超過時間があればインセンティブ金額をゼロにするという方法であってもよい。
【００９３】
インセンティブ金額算出部１５ｂにより算出されたインセンティブ金額は、インセンティブ金額記憶領域１４ｇに記憶される。
【００９４】
（２−１−５−３）判定部
判定部１５ｃは、管理装置１ａからの消費電力の調整要求を受けて、建物２において行われる、抑制要求期間の機器３０の消費電力の調整制御（デマンドレスポンス制御）の成否を建物２別に判定する。判定部１５ｃは、抑制要求期間が終了する度に、建物２別にデマンドレスポンス制御の成否を判定する。
【００９５】
さらに、判定部１５ｃは、建物２別にデマンドレスポンス制御の成否を判定する度に、通信部１１に、その判定結果（デマンドレスポンス制御の成否）を出力させる。具体的には、判定部１５ｃは、各建物２のデマンドレスポンス制御の成否の結果を用いて、各建物２のデマンドレスポンス制御の成否を示す画面を生成するよう画面生成部１５ｄに指示する。画面生成部１５ｄは、判定部１５ｃの指示を受けて、デマンドレスポンス制御の成否を示す画面を建物２別に生成し、画面の画像データが、対応する建物２に設置された制御装置２０に対して出力されるように、通信部１１に指令を与える。
【００９６】
以下に、判定部１５ｃによるデマンドレスポンス制御の成否の判定処理について説明する。
【００９７】
（２−１−５−３−１）デマンドレスポンス制御の成否の判定処理
判定部１５ｃは、目標消費電力記憶領域１４ｂに記憶された建物２別の抑制要求期間における消費電力の目標値と、判定基準記憶領域１４ｃに記憶された、建物２別の、快適性指標の目標値およびインセンティブ金額の目標値と、快適性指標値記憶領域１４ｅに記憶されたセンサ４０別の測定値（快適性指標値）と、消費電力記憶領域１４ｆに記憶された建物２別の抑制要求期間における消費電力に関する情報と、インセンティブ金額記憶領域１４ｇに記憶された建物２別のインセンティブ金額と、に基づいて、デマンドレスポンス制御の成否を建物２別に判定する。
【００９８】
具体的には、判定部１５ｃは、以下の３つの条件に関して判定を行い、全ての条件を満たす場合に、デマンドレスポンス制御が成功したと判定する。一方、判定部１５ｃは、以下の３つの条件を１つでも満たさない場合、デマンドレスポンス制御が失敗したと判定する。
【００９９】
（Ａ）消費電力に関する条件
判定部１５ｃは、建物２別の抑制要求期間における消費電力の目標値と、建物２別の抑制要求期間における消費電力に関する情報とに基づいて、ある建物２において、抑制要求期間中に、消費電力が、消費電力の目標値を超過した時間が存在したか否かを判定する。判定部１５ｃは、抑制要求期間中に、消費電力の目標値を、消費電力が超過した時間が存在しない場合、デマンドレスポンス制御が消費電力に関する条件を満たしたと判定する。
【０１００】
（Ｂ）インセンティブ金額に関する条件
判定部１５ｃは、建物２別のインセンティブ金額の目標値と、建物２別のインセンティブ金額に基づいて、ある建物２において、アグリゲータ１０に割り当てられたインセンティブ金額が、インセンティブ金額の目標値以上であるか否かを判定する。判定部１５ｃは、アグリゲータ１０に割り振られたインセンティブ金額が、インセンティブ金額の目標値以上である場合に、デマンドレスポンス制御がインセンティブ金額に関する条件を満たしたと判定する。
【０１０１】
（Ｃ）快適性に関する条件
判定部１５ｃは、建物２別の快適性指標の目標値と、センサ４０別の測定値とに基づいて、ある建物２において、抑制要求期間中又は抑制要求期間終了時の測定値が、快適性指標の目標値を満足するかを判定する。
【０１０２】
具体例を挙げて説明すれば、例えば、判定部１５ｃは、建物２で冷房が行われている場合であれば、センサ４０で計測された室温の値が、抑制要求期間中および抑制要求期間終了時に、室温の目標値以下であるか判定する。また、例えば、判定部１５ｃは、センサ４０で計測された照度の値が、抑制要求期間中に、照度の目標値以上であるか判定する。また、例えば、判定部１５ｃは、センサ４０で計測された二酸化炭素濃度の値が、抑制要求期間終了時に、二酸化炭素濃度の目標値以下であるか判定する。
【０１０３】
判定部１５ｃは、ある建物２に関し、全てのセンサ４０の測定値が、快適性指標の目標値を満足する場合、デマンドレスポンス制御が快適性に関する条件を満たしたと判定する。
【０１０４】
（２−１−５−４）画面生成部
画面生成部１５ｄは、判定部１５ｃの指示に従い、判定部１５ｃのデマンドレスポンス制御の成否の判定結果を用いて、デマンドレスポンス制御の成否を表示する画面（制御成否表示画面）を生成する。また、画面生成部１５ｄは、デマンドレスポンス制御に関する詳細情報の表示画面（詳細表示画面）を生成する。なお、画面生成部１５ｄが生成する制御成否表示画面および詳細表示画面は、各建物２の制御装置２０の後述する表示部２３に表示させるための画面である。
【０１０５】
画面生成部１５ｄの生成する制御成否表示画面は、例えば、図４に示す画面Ｓ１や、図５に示す画面Ｓ２のような画面である。図４に示す画面Ｓ１は、判定部１５ｃによりデマンドレスポンス制御が成功と判定された場合の制御成否表示画面の例である。図５に示す画面Ｓ２は、判定部１５ｃによりデマンドレスポンス制御が失敗と判定された場合の制御成否表示画面の例である。画面生成部１５ｄは、目標消費電力記憶領域１４ｂ、判定基準記憶領域１４ｃ、快適性指標値記憶領域１４ｅ、消費電力記憶領域１４ｆ、および、インセンティブ金額記憶領域１４ｇに記憶された情報に基づいて、制御成否表示画面を生成する。
【０１０６】
制御成否表示画面に表示される内容には、図４および図５のように、デマンドレスポンス制御の成否の判定結果のほか、デマンドレスポンス制御の成否に関する詳細情報を含む。デマンドレスポンス制御の成否に関する詳細情報には、例えば、各建物２の消費電力の目標値および抑制要求期間中の消費電力の最大値（実測値）を含む。また、デマンドレスポンス制御の成否に関する詳細情報には、例えば、各建物２の、インセンティブ金額の目標値、および、デマンドレスポンス制御を実行することで機器３０のユーザが実際に獲得したインセンティブ金額を含む。また、デマンドレスポンス制御の成否に関する詳細情報には、例えば、各建物２の、室温の目標値および抑制要求期間終了時の室温（実測値）を含む。また、デマンドレスポンス制御の成否に関する詳細情報には、例えば、各建物２の、照度の目標値および抑制要求期間中の照度の最小値（実測値）を含む。また、デマンドレスポンス制御の成否に関する詳細情報には、例えば、各建物２の、二酸化炭素濃度の目標値および抑制要求期間終了時の二酸化炭素濃度（実測値）を含む。また、デマンドレスポンス制御の成否に関する詳細情報には、消費電力、インセンティブ金額、室温、照度、二酸化炭素濃度が、目標値を満足しているか否かの判定結果が含まれる。このように、１つの画面（制御成否表示画面）に、デマンドレスポンス制御の成否の判定結果と共に、デマンドレスポンス制御の判定の基礎となった各条件の判定結果が表示されるため、デマンドレスポンス制御が失敗であった場合に、その原因を容易に確認することができる。
【０１０７】
画面生成部１５ｄの生成する詳細表示画面は、例えば、図６に示す画面Ｓ１１や、図７に示す画面Ｓ１２や、図８に示す画面Ｓ１３のような画面である。
【０１０８】
図６に示す画面Ｓ１１は、判定部１５ｃによりデマンドレスポンス制御が成功と判定された場合の詳細表示画面の一例である。図７に示す画面Ｓ１２は、判定部１５ｃによりデマンドレスポンス制御が失敗と判定された場合の詳細表示画面の一例である。画面生成部１５ｄは、目標消費電力記憶領域１４ｂ、判定基準記憶領域１４ｃ、機器使用状況記憶領域１４ｄ、快適性指標値記憶領域１４ｅ、および消費電力記憶領域１４ｆに記憶された情報に基づいて、画面Ｓ１１および画面Ｓ１２を生成する。
【０１０９】
図６に示す画面Ｓ１１および図７に示す画面Ｓ１２に表示される内容には、機器３０別の抑制要求時間中の消費電力の時間変化や、抑制要求時間中の建物２全体の消費電力の目標値および実績値、デマンドレスポンス制御の前後の室温、デマンドレスポンス制御の制御内容等の、デマンドレスポンス制御の成否に関する詳細情報が含まれる。また、図６に示す画面Ｓ１１に表示される内容には、消費電力が消費電力の目標値を超過した時刻や、実際の消費電力が消費電力の目標値に対してどれだけ超過したか等の、デマンドレスポンス制御の成否に関する詳細情報が含まれる。
【０１１０】
なお、画面Ｓ１１や画面Ｓ１２に表示されるデマンドレスポンス制御の制御内容とは、機器使用状況記憶領域１４ｄに記憶された機器３０の使用状況に関する情報から把握される、抑制要求期間中に実際に実行された機器３０の消費電力の調整制御の内容である。デマンドレスポンス制御の制御内容は、抑制指令生成部１５ａが決定した機器３０の制御内容と一致しない場合がある。具体的には、後述するように制御装置２０に対する入力により、機器３０の制御内容が抑制指令生成部１５ａの決定した機器３０の制御内容から変更されている場合には、デマンドレスポンス制御の制御内容は、抑制指令生成部１５ａが決定した機器３０の制御内容とは一致しない。
【０１１１】
図６に示す画面Ｓ１１および図７に示す画面Ｓ１２に表示される内容は、更に、判定部１５ｃにより成否が判定されたデマンドレスポンス制御に対するアドバイスも含まれる。例えば、画面Ｓ１１に示した事例では、機器３０に含まれる洗濯機およびドライヤーが同時刻に使用されたことで、消費電力が消費電力の目標値を超過しているため、「使用時間をずらせる機器は、使用時間をずらしましょう。」というアドバイスが画面に表示される。また、画面Ｓ１２に示した事例では、消費電力は、消費電力の目標値以下に抑えられているものの、ドライヤーの使用時間を変更することで消費電力を更に抑制することができることから、「使用時間をずらせる機器は、使用時間をずらしましょう。」というアドバイスが画面に表示される。
【０１１２】
図８に示す画面Ｓ１３は、制御内容を変更した場合に、最大消費電力、インセンティブ金額、および、室温がどのように変化するかの予測を表示する画面の一例である。画面Ｓ１３では、特に、冷房運転中のエアコン（機器３０の一例）の設定温度を２℃上昇させるという今回実行された制御内容に対し、エアコンの設定温度を１℃上昇させた場合、３℃上昇させた場合、４℃上昇させた場合に、最大消費電力、インセンティブ金額、および、室温がどのように変化するかを表示している。図８に示す画面Ｓ１３の内容は、例えば、制御部１５が、記憶部１４に記憶された機器３０の特性や、過去のデマンドレスポンス制御時の各種情報等に基づいて算出した情報である。
【０１１３】
なお、以上に説明した制御成否表示画面および詳細表示画面の表示内容や、表示のレイアウト等は一例であり、これに限定されるものではない。制御成否表示画面は、その画面を見た建物２の機器３０のユーザが、少なくともデマンドレスポンス制御の成否を把握できる画面であればよく、例えば、制御成否表示画面には、デマンドレスポンス制御の成否に関する詳細情報は含まれていなくてもよい。また、例えば、制御成否表示画面に表示される内容に、デマンドレスポンス制御に対するアドバイスが含まれていてもよい。
【０１１４】
（２−２）制御装置
制御装置２０は、例えば、ＨＥＭＳ（Home Energy Management System）で用いられるコントローラである。制御装置２０は、建物２全体の消費電力や、建物２内の機器３０の使用状況や、機器３０の個別の消費電力を表示可能に構成される。また、制御装置２０は、建物２内の通信ネットワーク３ｃにより接続された機器３０の動作を、アグリゲータ１０が送信する消費電力の抑制指令や、建物２の居住者（機器３０のユーザ）の入力に基づいて制御する。
【０１１５】
制御装置２０は、主に、通信部２１、入力部２２、表示部２３、記憶部２４、および制御部２５を備える（図３参照）。
【０１１６】
（２−２−１）通信部
通信部２１は、通信ネットワーク３ｂを介して接続されるアグリゲータ１０、通信ネットワーク３ｃを介して接続される機器３０、計測器３０ａ、センサ４０、および電力計５０との通信を可能にする通信インターフェイスである。
【０１１７】
通信部２１は、アグリゲータ１０から各種信号を受信する。通信部２１は、例えば、アグリゲータ１０の抑制指令生成部１５ａが生成する消費電力の抑制指令や、画面生成部１５ｄが生成する制御成否表示画面および詳細表示画面の画像データ等を受け付ける。
【０１１８】
また、通信部２１は、通信ネットワーク３ｃを介して接続された機器３０と通信を行い、機器３０の運転／停止に関する情報や、機器３０の運転条件に関する情報を、所定時間間隔で受け付ける。また、通信部２１は、通信ネットワーク３ｃを介して接続された計測器３０ａと通信を行い、機器３０の消費電力に関する情報を、所定時間間隔で受け付ける。また、通信部２１は、通信ネットワーク３ｃを介して接続されたセンサ４０と通信を行い、所定時間間隔で、そのセンサ４０の計測対象である快適性指標の値を受け付ける。また、通信部２１は、通信ネットワーク３ｃを介して接続された電力計５０と必要に応じて通信を行い、建物２の消費電力や消費電力量の値を受け付ける。
【０１１９】
また、通信部２１は、アグリゲータ１０に各種情報を送信する。例えば、通信部２１は、後述する入力部２２に入力された、快適性指標の目標値およびインセンティブ金額の目標値を、アグリゲータ１０に送信する。また、通信部２１は、所定時間間隔毎（例えば５分毎）に機器３０の使用状況に関する情報をアグリゲータ１０に送信する。機器３０の使用状況に関する情報は、機器３０別の情報である。機器３０の使用状況に関する情報には、機器３０の運転／停止に関する情報、機器３０の運転条件に関する情報、機器３０の消費電力に関する情報を含む。また、通信部２１は、所定時間間隔毎（例えば５分毎）にセンサ４０の測定値をアグリゲータ１０に送信する。
【０１２０】
また、通信部２１は、制御装置２０が通信ネットワーク３ｃを介して接続される機器３０を制御する場合に、制御対象の機器３０に対して制御指令を送信する。
【０１２１】
（２−２−２）入力部
入力部２２は、制御装置２０に設けられたスイッチやタッチパネル式ディスプレイ等の入力インターフェイスである。建物２の機器３０のユーザは、制御装置２０に対する各種指令や各種情報を、入力部２２を介して入力可能である。
【０１２２】
具体的には、入力部２２には、機器３０のユーザにより、快適性指標の目標値およびインセンティブ金額の目標値が入力される。入力部２２から快適性指標の目標値およびインセンティブ金額の目標値が入力されると、その値は、通信部２１からアグリゲータ１０に対して送信される。
【０１２３】
また、入力部２２には、機器３０のユーザにより、通信ネットワーク３ｃを介して接続される機器３０の運転設定を変更（設定）するための操作が入力される。なお、入力部２２から変更される機器３０の運転設定には、機器３０の運転／停止、機器３０の運転条件（例えばエアコンであれば、冷房／暖房／送風等の運転モードや、機器３０のユーザが設定した設定温度）、機器３０の運転時間（例えばエアコンであれば、運転開始予約時間や運転停止予約時間）等を含む。
【０１２４】
なお、入力部２２には、抑制要求期間中（デマンドレスポンス制御中）であっても、機器３０の運転設定を変更することが可能である。
【０１２５】
抑制要求期間中には、基本的に、機器３０は、通信部２１が受信した（アグリゲータ１０が生成した）消費電力の抑制指令に基づいた運転設定で運転される。つまり、アグリゲータ１０が、消費電力の抑制指令により、ある機器３０（例えば換気扇）の運転の停止を指示していた場合には、その機器３０の運転は基本的には停止される。また、アグリゲータ１０が、ある機器３０（例えばエアコン）の運転条件の変更（例えば、設定温度を設定値よりも２℃上昇させること）を指示していた場合には、その機器３０の運転条件は基本的には指示された内容に変更される。しかし、入力部２２から機器３０の運転設定を変更することが可能であるため、機器３０のユーザの要望に応じて、消費電力の抑制指令に応じて停止された機器３０を運転したり、消費電力の抑制指令に応じて変更された機器３０の運転条件を更に変更したりすることが可能である。
【０１２６】
（２−２−３）表示部
表示部２３は、例えば、タッチパネル式ディスプレイである。表示部２３には、建物２全体の消費電力や、建物２内の機器３０の使用状況や、機器３０の個別の消費電力が表示可能である。
【０１２７】
また、表示部２３は、デマンドレスポンス制御が終了すると、その度に、アグリゲータ１０から送信されてくる（通信部２１が受信する）デマンドレスポンス制御の可否を示す制御成否表示画面（図４および図５参照）を表示する。さらに、入力部２２に対し、表示切替操作が行われることで、表示部２３は、アグリゲータ１０から送信されてくる（通信部２１が受信する）詳細表示画面（図６〜図８参照）を表示可能である。
【０１２８】
なお、制御成否表示画面は、デマンドレスポンス制御の終了時に表示されることが好ましいが、これに代えて、あるいは、これに加えて、デマンドレスポンス制御の終了後の、任意のタイミングで、機器３０のユーザが必要に応じて表示部２３に表示可能に構成されてもよい。
【０１２９】
（２−２−４）記憶部
記憶部２４は、主に、ＲＡＭ、ＲＯＭ、およびハードディスク等を含む。記憶部２４には、制御部２５により使用される各種プログラムや、各種情報が記憶される。
【０１３０】
記憶部２４には、例えば、通信部２１が受信した、アグリゲータ１０から送信された消費電力の抑制指令や、制御成否表示画面、および、詳細表示画面が記憶される。
【０１３１】
また、記憶部２４には、例えば、通信部２１が機器３０や計測器３０ａと通信を行うことで取得される機器３０の使用状況に関する情報が時系列の情報として記憶される。また、記憶部２４には、例えば、通信部２１がセンサ４０と通信を行うことで取得されるセンサ４０の計測値が時系列の情報として記憶される。また、記憶部２４には、例えば、入力部２２から入力された、快適性指標の目標値およびインセンティブ金額の目標値が記憶される。
【０１３２】
通信部２１が、機器３０の使用状況に関する情報や、センサ４０の計測値や、快適性指標の目標値およびインセンティブ金額の目標値を送信する際には、記憶部２４に記憶されたこれらの情報が読み出されて送信される。
【０１３３】
（２−２−５）制御部
制御部２５は、主にＣＰＵを有し、記憶部２４に記憶されたプログラムを実行することで各種処理を実行する。
【０１３４】
制御部２５は、特に抑制要求期間（デマンドレスポンス制御中）には、通信部２１が受け付けた消費電力の抑制指令や、機器３０のユーザの入力部２２に対する入力に基づいて、通信ネットワーク３ｃにより接続された機器３０の少なくとも一部を制御する。
【０１３５】
（３）特徴
（３−１）
本実施形態の機器制御装置の一例としてのアグリゲータ１０は、抑制要求期間（所定期間）における消費電力（エネルギー消費量）の調整要求を受けて機器３０の制御を行う。アグリゲータ１０は、出力部の一例としての通信部１１と、判定部１５ｃと、を備える。通信部１１は、機器３０のユーザに対して情報を出力する。判定部１５ｃは、デマンドレスポンス制御の成否を、抑制要求期間における機器３０の消費電力に関する情報に基づいて判定する。判定部１５ｃは、判定したデマンドレスポンス制御の成否を、通信部１１に出力させる。デマンドレスポンス制御は、調整要求を受けて行われる抑制要求期間の機器３０の消費電力の調整制御である。
【０１３６】
ここでは、機器３０のユーザに対し、デマンドレスポンス制御の成否が出力されるため、機器３０のユーザは、デマンドレスポンス制御が適切に実行されたかを容易に判断することができる。
【０１３７】
（３−２）
本実施形態のアグリゲータ１０では、通信部１１は、判定部１５ｃにより成否が判定されたデマンドレスポンス制御に関し、デマンドレスポンス制御を実行することで機器３０のユーザが獲得したインセンティブ金額を出力する。
【０１３８】
ここでは、機器３０のユーザに対し、デマンドレスポンス制御の成否に加え、デマンドレスポンス制御により獲得されるインセンティブ金額も出力されるため、デマンドレスポンス制御によりどれだけのメリットを得ることができたのかを機器３０のユーザが定量的に把握することができる。
【０１３９】
（３−３）
本実施形態のアグリゲータ１０では、判定部１５ｃは、デマンドレスポンス制御の成否を、該デマンドレスポンス制御を実行することでユーザが獲得したインセンティブ金額に基づいて判定する。
【０１４０】
ここでは、デマンドレスポンス制御の成否を、機器３０の消費電力に関する情報に加え、機器３０のユーザが獲得したインセンティブ金額に基づいて判定することができ、多面的にデマンドレスポンス制御の成否を判定することができる。
【０１４１】
（３−４）
本実施形態のアグリゲータ１０では、判定部１５ｃは、デマンドレスポンス制御の成否を、抑制要求期間中又は抑制要求期間終了時のユーザの快適性に関する指標に更に基づいて判定する。
【０１４２】
ここでは、デマンドレスポンス制御の成否を、機器３０の消費電力に関する情報に加え、機器３０のユーザの快適性に基づいて判定することができ、多面的にデマンドレスポンス制御の成否を判定することができる。
【０１４３】
なお、本実施形態のアグリゲータ１０では、デマンドレスポンス制御の成否の判定に用いられる快適性に関する指標には、温度、照度、および二酸化炭素濃度を含む。また、快適性に関する指標には、湿度が含まれてもよい。
【０１４４】
ここでは、空調、照明、換気等に関連する快適性指標に基づいて、デマンドレスポンス制御の成否を判定することができる。
【０１４５】
（３−５）
本実施形態のアグリゲータ１０では、通信部１１は、デマンドレスポンス制御の成否に関する詳細情報を出力する。
【０１４６】
ここでは、デマンドレスポンス制御の成否に加え、デマンドレスポンス制御の成否に関する詳細情報が出力されるため、機器３０のユーザは、例えば、デマンドレスポンス制御の失敗の原因や、さらなる改善の余地等を把握することが容易である。
【０１４７】
（３−６）
本実施形態のアグリゲータ１０では、通信部１１は、判定部１５ｃにより成否が判定されたデマンドレスポンス制御に対するアドバイスを更に出力する。
【０１４８】
ここでは、デマンドレスポンス制御の成否に加え、デマンドレスポンス制御に対するアドバイスが出力されるため、機器３０のユーザは、デマンドレスポンス制御をどのように改善すべきか、あるいは、現状のデマンドレスポンス制御がベストなのか等を把握することが容易である。
【０１４９】
（４）変形例
以下に本実施形態の変形例を示す。なお、互いに矛盾しない限り、変形例は適宜組み合わせられてもよい。
【０１５０】
（４−１）変形例１Ａ
上記実施形態では、アグリゲータ１０が機器制御装置として機能するが、これに限定されるものではない。例えば、アグリゲータ１０に代わって制御装置２０が機器制御装置として機能してもよい。
【０１５１】
具体的には、制御装置２０の制御部２５は、上記実施形態における判定部１５ｃおよび画面生成部１５ｄとして機能してもよい。また、制御装置２０の記憶部２４は、その制御装置２０が設置された建物２に関し、上記実施形態における目標消費電力記憶領域１４ｂ、判定基準記憶領域１４ｃ、機器使用状況記憶領域１４ｄ、快適性指標値記憶領域１４ｅ、消費電力記憶領域１４ｆ、および、インセンティブ金額記憶領域１４ｇと同様の情報を記憶するよう構成されてもよい。この場合には、目標消費電力記憶領域１４ｂに記憶される消費電力の目標値、および、インセンティブ金額記憶領域１４ｇに記憶されるインセンティブ金額は、アグリゲータ１０から通信部２１に送信されればよい。制御装置２０の表示部２３は、機器３０のユーザにたいして情報を出力する出力部として機能するよう構成されてもよい。また、制御装置２０の通信部２１は、機器３０のユーザの持つ携帯端末（図示せず）等にたいして情報を出力する出力部として機能するよう構成されてもよい。
【０１５２】
このように構成されることで、アグリゲータ１０で全建物２に関してデマンドレスポンス制御の成否を判定する必要がなくなり、アグリゲータ１０の演算負荷を低減することができる。
【０１５３】
（４−２）変形例１Ｂ
上記実施形態では、アグリゲータ１０は、管理装置１ａの消費電力の調整要求を受けて、複数の建物２の消費電力の合計が全体許容消費電力以下になるよう、消費電力を調整するが、これに限定されるものではない。例えば、アグリゲータ１０は、管理装置１ａの消費電力の調整要求を受けて、複数の建物２内の特定の機器３０（例えばエアコン）の消費電力の合計が全体許容消費電力以下になるよう、消費電力を調整するものであってもよい。このような場合には、アグリゲータ１０は、建物２内の特定の機器３０の消費電力に関する情報に基づいて（特定の機器３０以外の消費電力は考慮せずに）、デマンドレスポンス制御の成否を判定するよう構成されてもよい。また、このような場合には、制御装置２０は、特定の機器３０だけを制御する装置（例えば、特定の機器３０がエアコンであればサーモスタット等）であってもよい。
【０１５４】
（４−３）変形例１Ｃ
上記実施形態では、出力部としての通信部１１は、判定結果表示画面および詳細表示画面の画像データを制御装置２０の通信部２１に対して送信するが、これに限定されるものではない。出力部としての通信部１１は、機器３０のユーザの持つ携帯端末（図示せず）等に対して画像データを出力するよう構成されてもよい。
【０１５５】
（４−４）変形例１Ｄ
上記実施形態では、判定部１５ｃは、消費電力に関する条件、インセンティブ金額に関する条件、および快適性に関する条件に基づいて、デマンドレスポンス制御の成否を判定するが、これに限定されるものではない。例えば、判定部１５ｃは、消費電力に関する条件だけに基づいて、あるいは、消費電力に関する条件と、インセンティブ金額に関する条件および快適性に関する条件のいずれかと、に基づいて、デマンドレスポンス制御の成否を判定してもよい。
【０１５６】
（４−５）変形例１Ｅ
上記実施形態では、アグリゲータ１０から判定結果表示画面および詳細表示画面の画像データが制御装置２０に対して送信されるが、これに限定されるものではない。アグリゲータ１０からは、判定結果表示画面および詳細表示画面を生成する上で必要な情報だけが制御装置２０に対して送信され、制御装置２０で画面が生成されるよう構成されてもよい。
【０１５７】
（４−６）変形例１Ｆ
上記実施形態では、管理装置１ａは、消費電力の調整要求として、消費電力の抑制を要求するが、これに限定されるものではない。例えば、管理装置１ａは、消費電力の調整要求として消費電力の増大を要求し、判定部１５ｃは、デマンドレスポンス制御の結果、消費電力が消費電力の目標値以上になっている場合に、デマンドレスポンス制御が消費電力に関する条件を満たしていると判定するものであってもよい。
【０１５８】
（４−７）変形例１Ｇ
上記実施形態では、機器３０の消費電力が計測器３０ａにより個別に測定されるが、これに限定されるものではなく、機器３０の個別の消費電力は測定されなくてもよい。ただし、デマンドレスポンス制御を精度よく行い、デマンドレスポンス制御の成否の原因を把握する上では、機器３０の消費電力が計測器３０ａにより個別に測定されることが好ましい。
【０１５９】
＜第２実施形態＞
（１）全体構成
図９は、本発明の機器制御装置の第２実施形態に係る制御装置２２０を含む、電力管理システム２００の概略全体図である。
【０１６０】
電力管理システム２００は、電力供給者としての電力会社１と、電力需要者としての複数の建物２とを主に含む（図９参照）。電力管理システム２００には、アグリゲータ１０は含まれない。
【０１６１】
電力会社１は、自ら発電した電力、および／又は、他者が発電した電力を、複数の建物２を含む電力需要者に供給する。電力会社１は、図９のように、管理装置２０１ａを有する。
【０１６２】
管理装置２０１ａは、図９のように、各建物２の制御装置２２０と、インターネット等の通信ネットワーク３ａにより接続されている。管理装置２０１ａは、電力会社１の電力供給量と、電力需要者の電力需要量とを予測し、電力供給量と電力需要量とがバランスするかを判断する。管理装置２０１ａは、電力需要量と電力供給量とがバランスしないと判断した場合に、制御装置２２０に消費電力の調整を要求する。具体的には、管理装置２０１ａは、電力需要が電力供給を上回ると判断した場合に、制御装置２２０に消費電力の抑制を要求する。
【０１６３】
管理装置２０１ａは、第１実施形態とは異なり、期間別の電力単価を、消費電力の調整要求として送信する。言い換えれば、管理装置２０１ａは、第１実施形態とは異なり、消費電力をどこまで抑制すればよいかを制御装置２２０に伝えない。つまり、管理装置２０１ａの消費電力の調整要求には、消費電力の目標値は含まれない。管理装置２０１ａは、電力需要が電力供給を上回ると判断した期間の電力単価を高く設定することで、制御装置２２０に対して消費電力の抑制を要求する。
【０１６４】
建物２は、第１実施形態と同様に、ここでは住宅である。建物２は、建物全体を意味するものでなくてもよく、例えば集合住宅内の１つの区画であってもよい。また、建物２は、住宅に限定されるものではなく、オフィスビル、商業施設、工場等であってもよい。
【０１６５】
建物２には、制御装置２２０、複数の機器３０、複数の計測器３０ａ、複数のセンサ４０、および電力計５０が設置されている。なお、ここでは、建物２に、複数の機器３０、計測器３０ａ、およびセンサ４０が設置されているが、機器３０、および／又は、計測器３０ａ、および／又は、センサ４０は、１台であってもよい。制御装置２２０は、計測器３０ａ、センサ４０、および電力計５０と、ＬＡＮ等の通信ネットワーク３ｃにより接続されている。また、制御装置２２０は、少なくとも１台の機器３０とＬＡＮ等の通信ネットワーク３ｃにより接続されている。なお、制御装置２２０は、全ての機器３０とＬＡＮ等の通信ネットワーク３ｃにより接続されていてもよい。また、制御装置２２０は、管理装置２０１ａと、通信ネットワーク３ａにより接続されている。電力計５０も、管理装置２０１ａと、通信ネットワーク３ａにより接続されている。
【０１６６】
機器３０、センサ４０については、第１実施形態と同様であるので、説明は省略する。
【０１６７】
電力計５０は、管理装置２０１ａおよび制御装置２２０と通信可能なスマートメータである。電力計５０は、建物２における消費電力、消費電力量等を計測する。電力計５０は、所定時間間隔で制御装置２２０に建物２の消費電力に関する情報を送信する。例えば、電力計５０は、連続的に建物２の消費電力の計測を行い、１分間隔で、過去１分間に計測された最大消費電力の値を、制御装置２２０に送信する。ただし、電力計５０の動作は一例であって、上記のものに限定されない。
【０１６８】
制御装置２２０は、通信ネットワーク３ｃを介して接続された機器３０と通信を行い、また計測器３０ａから機器３０の消費電力に関する情報を受信することで、各機器３０の使用状況に関する情報を取得する。制御装置２２０が取得する各機器３０の使用状況に関する情報には、各機器３０の運転／停止に関する情報、各機器３０の運転条件（機器３０が例えばエアコンであれば、運転モードや設定温度等）に関する情報、および、各機器３０の消費電力に関する情報等が含まれる。また、制御装置２２０は、複数のセンサ４０から各種測定値を取得する。
【０１６９】
制御装置２２０は、管理装置２０１ａの消費電力の調整要求（期間別の電力単価）を受けて、高電力単価期間（電力単価が、後述する機器３０のユーザにより入力された基準値以上の期間）に、機器３０の消費電力の調整制御（デマンドレスポンス制御）を行う。制御装置２２０は、デマンドレスポンス制御のため、通信ネットワーク３ｃにより制御装置２２０と接続された機器３０の運転を制御する。また、制御装置２２０は、高電力単価期間における、デマンドレスポンス制御の成否を、高電力単価期間における機器３０の消費電力に関する情報、より具体的には、高電力単価期間に機器３０の消費電力を抑制することで抑制できた電気料金（抑制金額）に基づいて判定する。制御装置２２０は、デマンドレスポンス制御の成否の判定結果を、後述する表示部２２３に出力させる。
【０１７０】
（２）詳細構成
以下に、制御装置２２０について説明する。
【０１７１】
（２−１）制御装置
制御装置２２０は、第１実施形態の制御装置２０と同様に、例えば、ＨＥＭＳ（Home Energy Management System）で用いられるコントローラである。制御装置２２０は、建物２全体の消費電力や、建物２内の機器３０の使用状況や、機器３０の個別の消費電力を表示可能に構成される。また、制御装置２２０は、高電力単価期間に、建物２内の通信ネットワーク３ｃにより接続された機器３０の動作を、予め記憶していた制御内容や、機器３０のユーザの入力に基づいて制御する。
【０１７２】
制御装置２２０は、主に、通信部２２１、入力部２２２、表示部２２３、記憶部２２４、および制御部２２５を備える（図１０参照）。
【０１７３】
（２−１−１）通信部
通信部２２１は、通信ネットワーク３ａを介して接続される管理装置２０１ａや、通信ネットワーク３ｃを介して接続される機器３０、計測器３０ａ、センサ４０、および電力計５０との通信を可能にする通信インターフェイスである。
【０１７４】
通信部２２１は、管理装置２０１ａから期間別の電力単価を受信する。
【０１７５】
また、通信部２２１は、電力計５０から所定時間間隔で建物２の消費電力に関する情報を受信する。例えば、電力計５０は、連続的に建物２の消費電力の計測を行い、１分間隔で、過去１分間に計測された最大消費電力の値を通信部２２１に送信する。ただし、第１実施形態に係る電力計５０のアグリゲータ１０に対する建物２の消費電力に関する情報の送信動作と同様に、電力計５０の動作は上記のものに限定されない。
【０１７６】
通信部２２１と、機器３０、計測器３０ａ、およびセンサ４０との通信については、第１実施形態と同様であるので、説明を省略する。
【０１７７】
（２−１−２）入力部
入力部２２２は、制御装置２２０に設けられたスイッチやタッチパネル式ディスプレイ等の入力インターフェイスである。機器３０のユーザは、制御装置２２０に対する各種指令や各種情報を、入力部２２２を介して入力可能である。
【０１７８】
具体的には、入力部２２２には、機器３０のユーザにより、電力単価の基準値、快適性指標の目標値、および、抑制金額の目標値が入力される。入力部２２２に電力単価の基準値が入力されることで、電力単価が基準値以上の期間（高電力単価期間）に、制御装置２２０によりデマンドレスポンス制御が実行される。抑制金額の目標値とは、高電力単価期間に機器３０の消費電力を抑制することで獲得できる電気料金の抑制額の目標値である。電力単価の基準値、快適性指標の目標値、および、抑制金額の目標値が入力部２２２から入力されると、これらの値は、後述する記憶部２２４の判定基準記憶領域２２４ｃに記憶される。
【０１７９】
入力部２２２には、機器３０のユーザにより、通信ネットワーク３ｃを介して接続される機器３０の、通常時の（高電力単価期間以外の期間のための）運転設定を変更（設定）するための操作が入力される。なお、入力部２２２から変更される機器３０の運転設定は、第１実施形態における入力部２２から変更される機器３０の運転設定と同様である。
【０１８０】
また、入力部２２２には、機器３０のユーザにより、高電力単価期間の機器３０の制御内容も入力される。言い換えれば、入力部２２２には、デマンドレスポンス制御（すなわち、管理装置２０１ａからの調整要求（期間別の電力単価）を受けて行われる、高電力単価期間の機器３０の消費電力の調整制御）の内容が入力される。なお、デマンドレスポンス制御の内容は、デマンドレスポンス制御の途中であっても、入力部２２２から変更可能に構成されている。
【０１８１】
（２−１−３）表示部
表示部２２３は、例えば、タッチパネル式ディスプレイである。表示部２２３には、建物２全体の消費電力や、建物２内の機器３０の使用状況や、機器３０の個別の消費電力が表示可能である。
【０１８２】
表示部２２３は、出力部の一例である。表示部２２３は、デマンドレスポンス制御が終了すると、その度に、後述する制御部２２５の画面生成部２２５ｄにより生成される、デマンドレスポンス制御の可否を示す制御成否表示画面（図１１の画面Ｓ２０１参照）を表示（出力）する。さらに、入力部２２２に対し、画面の切替操作が行われることで、表示部２２３は、後述する制御部２２５の画面生成部２２５ｄにより生成される、詳細表示画面（図１２の画面Ｓ２１２および図１３の画面Ｓ２１３参照）を表示可能である。
【０１８３】
なお、制御成否表示画面は、デマンドレスポンス制御の終了時に表示されることが好ましいが、これに代えて、あるいは、これに加えて、デマンドレスポンス制御の終了後の、任意のタイミングで、機器３０のユーザが必要に応じて表示部２２３に表示可能に構成されてもよい。
【０１８４】
（２−１−４）記憶部
記憶部２２４は、主に、ＲＡＭ、ＲＯＭ、およびハードディスク等を含む。記憶部２２４には、制御部２２５により使用される各種プログラムや、各種情報が記憶される。
【０１８５】
記憶部２２４は、情報の記憶領域として、電力単価記憶領域２２４ａ、制御内容記憶領域２２４ｂ、判定基準記憶領域２２４ｃ、機器使用状況記憶領域２２４ｄ、快適性指標値記憶領域２２４ｅ、消費電力記憶領域２２４ｆ、および、抑制金額記憶領域２２４ｇを含む。
【０１８６】
（２−１−４−１）電力単価記憶領域
電力単価記憶領域２２４ａには、通信部２２１が管理装置２０１ａから受信した、期間別の電力単価が記憶される。
【０１８７】
（２−１−４−２）制御内容記憶領域
制御内容記憶領域２２４ｂには、入力部２２２から入力されたデマンドレスポンス制御の内容が記憶される。デマンドレスポンス制御の内容は、具体的には、例えば、高電力単価期間に機器３０に含まれる換気扇を停止する、高電力単価の期間に機器３０に含まれるエアコンの設定温度を、冷房運転時であれば２℃上昇させる、暖房運転時であれば２℃低下させる、等である。
【０１８８】
（２−１−４−３）判定基準記憶領域
判定基準記憶領域２２４ｃには、入力部２２２から入力された、電力単価の基準値、快適性指標の目標値、および、抑制金額の目標値が記憶される。
【０１８９】
（２−１−４−４）機器使用状況記憶領域
機器使用状況記憶領域２２４ｄは、通信部２２１が機器３０から受信する機器３０の運転／停止に関する情報および機器３０の運転条件に関する情報と、通信部２２１が計測器３０ａから受信する機器３０の消費電力に関する情報とを、機器３０の使用状況に関する情報として時系列に記憶する。
【０１９０】
（２−１−４−５）快適性指標値記憶領域
快適性指標値記憶領域２２４ｅは、通信部２２１がセンサ４０から受信する測定値（快適性指標値）を記憶する。具体的には、快適性指標値記憶領域２２４ｅは、各建物２のセンサ４０が測定した、室温、照度、および二酸化炭素濃度を記憶する。快適性指標値記憶領域２２４ｅには、センサ４０の測定値が、センサ４０別の時系列の情報として記憶される。
【０１９１】
（２−１−４−６）消費電力記憶領域
消費電力記憶領域２２４ｆは、通信部２２１が電力計５０から受信した、制御装置２０の設置された建物２の消費電力に関する情報を時系列に記憶する。
【０１９２】
（２−１−４−７）抑制金額記憶領域
抑制金額記憶領域２２４ｇは、後述する制御部２２５の抑制金額算出部２２５ｂが算出する抑制金額を記憶する。
【０１９３】
（２−１−５）制御部
制御部２２５は、主にＣＰＵからなり、記憶部２２４に記憶されたプログラムを実行することで各種処理を実行する。
【０１９４】
制御部２２５は、記憶部２２４に記憶されたプログラムを実行することで、主に制御指令生成部２２５ａ、抑制金額算出部２２５ｂ、判定部２２５ｃ、および画面生成部２２５ｄとして機能する。
【０１９５】
（２−１−５−１）制御指令生成部
制御指令生成部２２５ａは、消費電力の調整要求（期間別の電力単価）を受けて、デマンドレスポンス制御が実行されるように、機器３０の消費電力の調整制御のための制御指令を生成する。
【０１９６】
具体的には、制御指令生成部２２５ａは、電力単価記憶領域２２４ａに記憶された期間別の電力単価に基づいて、電力単価が判定基準記憶領域２２４ｃに記憶された電力単価の基準値を超過する期間（高電力単価期間）に関して、機器３０の制御指令を生成する。制御指令生成部２２５ａは、高電力単価期間に制御内容記憶領域２２４ｂに記憶された制御内容が実現されるよう、消費電力の調整制御の対象となる機器３０に対し、機器３０を制御する指令を生成する。制御指令生成部２２５ａは、高電力単価期間開始時に制御指令を生成し、消費電力の調整制御の対象となる機器３０に対し制御指令を送信する。また、高電力単価期間に入力部２２２からの入力により制御内容記憶領域２２４ｂの内容が書き換えられた場合にも、制御指令生成部２２５ａは、制御指令を生成し、消費電力の調整制御の対象となる機器３０に対し制御指令を送信する。
【０１９７】
（２−１−５−２）抑制金額算出部
抑制金額算出部２２５ｂは、高電力単価期間の終了後（建物２においてデマンドレスポンス制御が実行された後）に、抑制金額を算出する。抑制金額は、高電力単価機関にデマンドレスポンス制御を実行し、機器３０の消費電力を調整することで機器３０のユーザが獲得する金銭的利益の額である。
【０１９８】
具体的には、抑制金額算出部２２５ｂは、まず、消費電力記憶領域１４ｆに記憶された消費電力に関する情報に基づいて、高電力単価期間にデマンドレスポンス制御が実行されたことで抑制された電力量を算出する。より具体的には、抑制金額算出部２２５ｂは、初めに、消費電力記憶領域１４ｆに記憶された消費電力に関する情報に基づいて、デマンドレスポンス制御の実行開始前の消費電力と、デマンドレスポンス制御の実行中の消費電力の平均値との差を算出する。次に、抑制金額算出部２２５ｂは、デマンドレスポンス制御の実行開始前の消費電力とデマンドレスポンス制御の実行中の消費電力の平均値との差に、高電力単価期間の長さ（時間）を乗ずることで、デマンドレスポンス制御中に抑制された電力量を算出する。抑制金額算出部２２５ｂは、次に、電力単価記憶領域２２４ａに記憶された期間別の電力単価に基づいて、デマンドレスポンス制御が実行されたことで抑制された電力量に、高電力単価期間の電力単価を乗ずることで、デマンドレスポンス制御が実行されたことで抑制された抑制金額を算出する。ただし、抑制金額算出部２２５ｂによる抑制金額の算出方法は一例であり、これに限定されるものではない。
【０１９９】
抑制金額算出部２２５ｂにより作成された抑制金額は、抑制金額記憶領域２２４ｇに記憶される。
【０２００】
（２−１−５−３）判定部
判定部２２５ｃは、管理装置２０１ａからの消費電力の調整要求を受けて、建物２において行われる、高電力単価期間の機器３０の消費電力の調整制御（デマンドレスポンス制御）の成否を判定する。判定部２２５ｃは、高電力単価期間が終了する度に、建物２について、デマンドレスポンス制御の成否を判定する。
【０２０１】
さらに、判定部２２５ｃは、デマンドレスポンス制御の成否を判定する度に、表示部２２３に、その判定結果（デマンドレスポンス制御の成否）を出力させる。具体的には、判定部２２５ｃは、デマンドレスポンス制御の成否の結果を用いて、デマンドレスポンス制御の成否を示す画面を生成するよう画面生成部２２５ｄに指示する。画面生成部２２５ｄは、判定部２２５ｃの指示を受けて、デマンドレスポンス制御の成否を示す画面を生成し、その画面を表示部２２３に出力させる。
【０２０２】
以下に、デマンドレスポンス制御の成否の判定処理について説明する。
【０２０３】
（２−１−５−３−１）デマンドレスポンス制御の成否の判定処理
判定部２２５ｃは、判定基準記憶領域２２４ｃに記憶された、快適性指標の目標値およびと、快適性指標値記憶領域２２４ｅに記憶されたセンサ４０別の測定値（快適性指標値）と、抑制金額記憶領域２２４ｇに記憶された抑制金額と、に基づいて、デマンドレスポンス制御の成否を判定する。
【０２０４】
具体的には、判定部２２５ｃは、以下の２つの条件に関して判定を行い、全ての条件を満たす場合に、デマンドレスポンス制御が成功したと判定する。一方、判定部２２５ｃは、以下の２つの条件を１つでも満たさない場合、デマンドレスポンス制御が失敗したと判定する。
【０２０５】
（Ａ）抑制金額（消費電力）に関する条件
判定部２２５ｃは、高電力単価期間における機器３０の消費電力に関する情報としての、高電力単価期間にデマンドレスポンス制御を実行し機器３０の消費電力を調整することで機器３０のユーザが獲得した金銭的利益の額（抑制金額）と、所定の基準額とを比較することで、デマンドレスポンス制御の成否を判定する。具体的には、判定部２２５ｃは、抑制金額記憶領域２２４ｇに記憶された実際の抑制金額が、判定基準記憶領域２２４ｃに記憶された抑制金額の目標値以上である場合に、建物２が抑制金額に関する条件を満たしたと判定する。
【０２０６】
（Ｂ）快適性に関する条件
判定部２２５ｃは、快適性指標の目標値と、センサ４０別の測定値とに基づいて、高電力単価期間中又は高電力単価期間終了時の測定値が、快適性指標の目標値を満足するかを判定する。
【０２０７】
具体例を挙げて説明すれば、例えば、判定部２２５ｃは、建物２で冷房が行われている場合であれば、センサ４０で計測された温度の値が、高電力単価期間中および高電力単価期間終了時に、温度の目標値以下であるか判定する。また、例えば、判定部２２５ｃは、センサ４０で計測された照度の値が、高電力単価期間中に、照度の目標値を以上であるか判定する。また、例えば、判定部２２５ｃは、センサ４０で計測された二酸化炭素濃度の値が、高電力単価期間終了時に、二酸化炭素濃度の目標値を以下であるか判定する。
【０２０８】
判定部２２５ｃは、全てのセンサ４０の測定値が、快適性指標の目標値を満足する場合、建物２が快適性に関する条件を満たしたと判定する。
【０２０９】
（２−１−５−４）画面生成部
画面生成部２２５ｄは、判定部２２５ｃの指示に従い、判定部２２５ｃのデマンドレスポンス制御の成否の判定結果を用いて、デマンドレスポンス制御の成否を表示する画面（制御成否表示画面）を生成する。また、画面生成部２２５ｄは、デマンドレスポンス制御に関する詳細情報の表示画面（詳細表示画面）を生成する。制御成否表示画面および詳細表示画面は、表示部２２３に表示させるための画面である。
【０２１０】
画面生成部２２５ｄの生成する制御成否表示画面は、例えば、図１１に示す画面Ｓ２０１のような画面である。図１１に示す画面Ｓ２０１は、判定部２２５ｃによりデマンドレスポンス制御が成功と判定された場合の制御成否表示画面の例である。画面生成部２２５ｄは、判定基準記憶領域２２４ｃ、快適性指標値記憶領域２２４ｅ、消費電力記憶領域２２４ｆ、および、抑制金額記憶領域２２４ｇに記憶された情報に基づいて、制御成否表示画面を生成する。
【０２１１】
制御成否表示画面に表示される内容には、図４のように、デマンドレスポンス制御の成否の判定結果のほか、デマンドレスポンス制御の成否に関する詳細情報を含む。デマンドレスポンス制御の成否に関する詳細情報には、例えば、高電力単価期間の最大消費電力を含む。また、デマンドレスポンス制御の成否に関する詳細情報には、例えば、抑制金額の目標値、および、デマンドレスポンス制御を実行することで機器３０のユーザが実際に獲得した抑制金額を含む。また、デマンドレスポンス制御の成否に関する詳細情報には、例えば、各建物２の、室温の目標値および高電力単価期間終了時の室温（実測値）を含む。また、デマンドレスポンス制御の成否に関する詳細情報には、例えば、各建物２の、照度の目標値および高電力単価期間中の照度の最小値（実測値）を含む。また、デマンドレスポンス制御の成否に関する詳細情報には、例えば、各建物２の、二酸化炭素濃度の目標値および高電力単価期間終了時の二酸化炭素濃度（実測値）を含む。また、デマンドレスポンス制御の成否に関する詳細情報には、抑制金額、室温、照度、二酸化炭素濃度が、目標値を満足しているか否かの判定結果が含まれる。このように、１つの画面（制御成否表示画面）に、デマンドレスポンス制御の成否の判定結果と共に、デマンドレスポンス制御の判定の基礎となった各条件の判定結果が表示されるため、デマンドレスポンス制御が失敗であった場合に、その原因を容易に確認することができる。
【０２１２】
画面生成部１５ｄの生成する詳細表示画面は、例えば、図１２に示す画面Ｓ２１２や、図１３に示す画面Ｓ２１３のような画面である。
【０２１３】
第２実施形態では、消費電力の目標値が存在しないため、図１２に示す画面Ｓ２１２は、第１実施形態においてアグリゲータ１０の画面生成部１５ｄが生成する図８の画面Ｓ１２と一部が異なるが、画面Ｓ２１２には消費電力の目標値に関する表示がなされない点を除いては、概ね画面Ｓ１２と同様であるため、説明は省略する。
【０２１４】
また、図１３に示す画面Ｓ２１３は、第１実施形態においてアグリゲータ１０の画面生成部１５ｄが生成する図９の画面Ｓ１３と、インセンティブ金額の代わりに抑制金額が表示される点を除いては概ね同様であるため、説明は省略する。
【０２１５】
（３）特徴
（３−１）
本実施形態の機器制御装置の一例としての制御装置２２０は、高電力単価期間（所定期間）における消費電力（エネルギー消費量）の調整要求を受けて機器３０の制御を行う。制御装置２２０は、出力部の一例としての表示部２２３と、判定部２２５ｃと、を備える。表示部２２３は、機器３０のユーザに対して情報を出力（表示）する。判定部２２５ｃは、デマンドレスポンス制御の成否を、高電力単価期間における機器３０の消費電力に関する情報に基づいて判定する。判定部２２５ｃは、判定したデマンドレスポンス制御の成否を、表示部２２３に出力させる。デマンドレスポンス制御は、調整要求を受けて行われる高電力単価期間の機器３０の消費電力の調整制御である。
【０２１６】
ここでは、機器３０のユーザに対し、デマンドレスポンス制御の成否が出力されるため、機器３０のユーザは、デマンドレスポンス制御が適切に実行されたかを容易に判断することができる。
【０２１７】
（３−２）
本実施形態の制御装置２２０では、制御装置２２０が受ける管理装置２０１ａの調整要求に消費電力の目標値が含まれない。判定部２２５ｃは、高電力単価期間における機器の消費電力に関する情報としての、高電力単価期間にデマンドレスポンス制御を実行し機器３０のエネルギー消費量を調整することで機器３０のユーザが獲得した金銭的利益の額（抑制金額）と、抑制金額の目標値（所定の基準額）とを比較することで、デマンドレスポンス制御の成否を判定する。
【０２１８】
ここでは、管理装置２０１ａの調整要求が消費電力の目標値を含まない場合であっても、デマンドレスポンスを実行して機器３０の消費電力を調整することで機器３０のユーザが獲得した金銭的利益の額に基づいてデマンドレスポンス制御の成否を判定することができる。
【０２１９】
（３−３）
本実施形態の制御装置２２０では、表示部２２３は、デマンドレスポンス制御の成否に関する詳細情報を出力する。
【０２２０】
ここでは、デマンドレスポンス制御の成否に加え、デマンドレスポンス制御の成否に関する詳細情報が出力されるため、機器３０のユーザは、例えば、デマンドレスポンス制御の失敗の原因や、さらなる改善の余地等を把握することが容易である。
【０２２１】
（３−４）
本実施形態の制御装置２２０では、表示部２２３は、判定部２２５ｃにより成否が判定されたデマンドレスポンス制御に対するアドバイスを更に出力する。
【０２２２】
ここでは、デマンドレスポンス制御の成否に加え、デマンドレスポンス制御に対するアドバイスが出力されるため、機器３０のユーザは、デマンドレスポンス制御をどのように改善すべきか、あるいは、現状のデマンドレスポンス制御がベストなのか等を把握することが容易である。
【０２２３】
（３−５）
本実施形態の制御装置２２０では、判定部２２５ｃは、デマンドレスポンス制御の成否を、高電力単価期間中又は高電力単価期間終了時のユーザの快適性に関する指標に基づいて判定する。
【０２２４】
ここでは、デマンドレスポンス制御の成否を、機器３０の消費電力に関する情報に加え、機器３０のユーザの快適性に基づいて判定することができ、多面的にデマンドレスポンス制御の成否を判定することができる。
【０２２５】
なお、本実施形態の制御装置２２０では、デマンドレスポンス制御の成否の判定に用いられる快適性に関する指標には、温度、照度、および二酸化炭素濃度を含む。また、快適性に関する指標には、湿度が含まれてもよい。
【０２２６】
ここでは、空調、照明、換気等に関連する快適性指標に基づいて、デマンドレスポンス制御の成否を判定することができる。
【０２２７】
（４）変形例
以下に本実施形態の変形例を示す。なお、互いに矛盾しない限り、変形例は適宜組み合わせられてもよい。
【０２２８】
（４−１）変形例２Ａ
上記実施形態では、制御装置２２０は、デマンドレスポンス制御前と、デマンドレスポンス制御中との、建物２の消費電力の合計の変化に基づいて、抑制された電力量を算出し、抑制金額を算出するが、これに限定されるものではない。
【０２２９】
例えば、制御装置２２０は、デマンドレスポンス制御前と、デマンドレスポンス制御中との、デマンドレスポンス制御対象の機器３０の消費電力の変化に基づいて抑制金額を算出するものであってもよい。つまり、制御装置２２０は、建物２の機器３０の全体についてデマンドレスポンス制御の成否を判定するものではなく、デマンドレスポンス制御の対象である機器３０についてのみ、デマンドレスポンス制御の成否を判定するものであってもよい。
【０２３０】
（４−２）変形例２Ｂ
上記実施形態では、出力部としての表示部２２３が、判定結果表示画面および詳細表示画面を出力（表示）するが、これに限定されるものではない。例えば、通信部２２１が出力部として機能し、機器３０のユーザの持つ携帯端末（図示せず）等に対して判定結果表示画面および詳細表示画面の画像データを出力（送信）するよう構成されてもよい。なお、通信部２２１が携帯端末等に対して出力を行う場合には、判定結果表示画面および詳細表示画面の画像データに代えて、判定結果表示画面および詳細表示画面を生成する上で必要な情報だけが携帯端末に対して送信され、携帯端末で画面が生成されるよう構成されてもよい。
【０２３１】
（４−３）変形例２Ｃ
上記実施形態では、判定部２２５ｃは、抑制金額（消費電力）に関する条件、快適性に関する条件に基づいて、デマンドレスポンス制御の成否を判定するが、これに限定されるものではない。例えば、判定部２２５ｃは、抑制金額に関する条件だけに基づいて、デマンドレスポンス制御の成否を判定してもよい。
【０２３２】
（４−４）変形例２Ｄ
上記実施形態では、機器３０の消費電力が計測器３０ａにより個別に測定されるが、これに限定されるものではなく、機器３０の個別の消費電力は測定されなくてもよい。ただし、デマンドレスポンス制御を精度よく行い、デマンドレスポンス制御の成否の原因を把握する上では、機器３０の消費電力が計測器３０ａにより個別に測定されることが好ましい。
【産業上の利用可能性】
【０２３３】
本発明は、エネルギー消費量の調整要求を受けて機器の制御を行う機器制御装置に適用可能であり、デマンドレスポンス制御が適切に実行されたか否かを容易に判断可能な機器制御装置として有用である。
【符号の説明】
【０２３４】
１０  アグリゲータ（機器制御装置）
１１  通信部（出力部）
１５ｃ  判定部
３０  機器
２２０  制御装置（機器制御装置）
２２１  通信部（出力部）
２２３  表示部（出力部）
２２５ｃ  判定部
【先行技術文献】
【特許文献】
【０２３５】
【特許文献１】特開２０１４−２１７１５７号公報
【図１】
2016178824.tif 000003
【図２】
2016178824.tif 000004
【図３】
2016178824.tif 000005
【図４】
2016178824.tif 000006
【図５】
2016178824.tif 000007
【図６】
2016178824.tif 000008
【図７】
2016178824.tif 000009
【図８】
2016178824.tif 000010
【図９】
2016178824.tif 000011
【図１０】
2016178824.tif 000012
【図１１】
2016178824.tif 000013
【図１２】
2016178824.tif 000014
【図１３】
2016178824.tif 000015
【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
所定期間におけるエネルギー消費量の調整要求を受けて機器（３０）の制御を行う機器制御装置であって、
前記機器のユーザに対して情報を出力する出力部（１１）と、
前記調整要求を受けて行われる前記所定期間の前記機器のエネルギー消費量の調整制御である、デマンドレスポンス制御の成否を、前記所定期間における前記機器の消費エネルギーに関する情報と前記調整要求に含まれる情報に基づくエネルギー消費量の目標値とに少なくとも基づいて判定し、前記出力部に出力させる判定部（１５ｃ）と、
を備えた、機器制御装置（１０）。
【請求項２】
前記出力部は、前記判定部により成否が判定された前記デマンドレスポンス制御に関し、該デマンドレスポンス制御を実行することで前記ユーザが獲得したインセンティブ金額を更に出力する、
請求項１に記載の機器制御装置。
【請求項３】
前記判定部（１５ｃ）は、前記デマンドレスポンス制御の成否を、該デマンドレスポンス制御を実行することで前記ユーザが獲得したインセンティブ金額に更に基づいて判定する、
請求項１又は２に記載の機器制御装置（１０）。
【請求項４】
前記判定部は、前記デマンドレスポンス制御の成否を、前記所定期間中又は前記所定期間終了時の前記ユーザの快適性に関する指標に更に基づいて判定する、
請求項１から３のいずれか１項に記載の機器制御装置。
【請求項５】
前記快適性に関する指標には、温度、湿度、照度、および二酸化炭素濃度の少なくとも１つを含む、
請求項４に記載の機器制御装置。
【請求項６】
エネルギー消費量の目標値に関する情報を含まない所定期間におけるエネルギー消費量の調整要求を受けて機器（３０）の制御を行う機器制御装置であって、
前記機器のユーザに対して情報を出力する出力部（２２１,２２３）と、
前記調整要求を受けて行われる前記所定期間の前記機器のエネルギー消費量の調整制御である、デマンドレスポンス制御の成否を、前記所定期間における前記機器の消費エネルギーに関する情報に少なくとも基づいて判定し、前記出力部に出力させる判定部（２２５ｃ）と、
を備え、
前記判定部（２２５ｃ）は、前記所定期間における前記機器の消費エネルギーに関する情報としての、前記所定期間に前記デマンドレスポンス制御を実行し前記機器のエネルギー消費量を調整することで前記ユーザが獲得した金銭的利益の額と、所定の基準額とを比較することで、前記デマンドレスポンス制御の成否を判定する、
機器制御装置（２２０）。
【請求項７】
前記出力部は、前記デマンドレスポンス制御の成否に関する詳細情報を更に出力する、
請求項１から６のいずれか１項に記載の機器制御装置。
【請求項８】
前記出力部は、前記判定部により成否が判定された前記デマンドレスポンス制御に対するアドバイスを更に出力する、
請求項１から７のいずれか１項に記載の機器制御装置。
【手続補正２】
【補正対象書類名】明細書
【補正対象項目名】全文
【補正方法】変更
【補正の内容】
【発明の詳細な説明】
【技術分野】
【０００１】
本発明は、機器制御装置、特に、所定期間におけるエネルギー消費量の調整要求を受けて機器の制御を行う機器制御装置に関する。
【背景技術】
【０００２】
エネルギーの需給バランスを図るため、エネルギーの供給側が需要側にエネルギー消費量の調整を要求し、その要求に基づいて需要側がエネルギー消費量を調整する、デマンドレスポンスの導入が進められつつある。
【０００３】
例えば、特許文献１（特開２０１４−２１７１５７号公報）には、供給側からの電力消費量の調整要求に基づいて、家庭等の需要側において、各種機器の電力消費量を調整する電力管理機器が開示されている。電力管理機器は、電力消費量の調整要求受付時に、所定の方式で機器の動作を制御することで、機器のエネルギー消費量を調整している。
【発明の概要】
【発明が解決しようとする課題】
【０００４】
しかし、実際には、エネルギーの需要側の事情等によって、エネルギー消費量の調整要求時に、機器の動作が所定の方式通りに制御されない事態が起こりうる。そのため、エネルギーの需要者（機器のユーザ）は供給側からの要求に応じて適切な機器の制御を実行しているつもりであっても、実際には、十分なエネルギー消費量の調整が実現されないという事態が発生しうる。また、所定の方式通りに全ての機器の動作が制御されるとしても、所定の方式が適切でない場合には、需要側において十分なエネルギー消費量の調整が実現されないという事態が発生しうる。
【０００５】
このような事態に対し、需要者に対し、エネルギー使用量やエネルギー料金が情報として提示される場合があるが、特に、家庭等、エネルギー管理に関する専門家がいない場合には、これらの情報が提示されたとしても、需要者が、エネルギー消費量の調整要求を受けて行われる機器の制御が、毎回、適切に行われているかを判断することは困難である。
【０００６】
本発明の課題は、所定期間におけるエネルギー消費量の調整要求を受けて機器の制御を行う機器制御装置であって、機器のユーザが、デマンドレスポンス制御（調整要求を受けて行われる所定期間の機器のエネルギー消費量の調整制御）が適切に実行されたか否かを容易に判断可能な機器制御装置を提供することにある。
【課題を解決するための手段】
【０００７】
本発明の第１観点に係る機器制御装置は、所定期間におけるエネルギー消費量の調整要求を受けて機器の制御を行う。当該機器制御装置は、出力部と、判定部と、を備える。出力部は、機器のユーザに対して情報を出力する。判定部は、デマンドレスポンス制御の成否を、所定期間における機器の消費エネルギーに関する情報と調整要求に含まれる情報に基づくエネルギー消費量の目標値とに少なくとも基づいて判定し、出力部に出力させる。デマンドレスポンス制御は、調整要求を受けて行われる所定期間の機器のエネルギー消費量の調整制御である。
【０００８】
本発明の第１観点に係る機器制御装置では、機器のユーザに対し、デマンドレスポンス制御の成否が出力されるため、機器のユーザは、デマンドレスポンス制御が適切に実行されたかを容易に判断することができる。
【０００９】
本発明の第２観点に係る機器制御装置は、第１観点に係る機器制御装置であって、出力部は、判定部により成否が判定されたデマンドレスポンス制御に関し、該デマンドレスポンス制御を実行することでユーザが獲得したインセンティブ金額を更に出力する。
【００１０】
本発明の第２観点に係る機器制御装置では、機器のユーザに対し、デマンドレスポンス制御の成否に加え、デマンドレスポンス制御により獲得されるインセンティブ金額も出力されるため、デマンドレスポンス制御によりどれだけのメリットを得ることができたのかを機器のユーザが定量的に把握することができる。
【００１１】
本発明の第３観点に係る機器制御装置は、第１観点又は第２観点に係る機器制御装置であって、判定部は、デマンドレスポンス制御の成否を、該デマンドレスポンス制御を実行することでユーザが獲得したインセンティブ金額に更に基づいて判定する。
【００１２】
本発明の第３観点に係る機器制御装置では、デマンドレスポンス制御の成否を、機器の消費エネルギーに関する情報に加え、機器のユーザが獲得したインセンティブ金額に基づいて判定することができ、多面的にデマンドレスポンス制御の成否を判定することができる。
【００１３】
本発明の第４観点に係る機器制御装置は、第１観点から第３観点のいずれかに係る機器制御装置であって、判定部は、デマンドレスポンス制御の成否を、所定期間中又は所定期間終了時のユーザの快適性に関する指標に更に基づいて判定する。
【００１４】
本発明の第４観点に係る機器制御装置では、デマンドレスポンス制御の成否を、機器の消費エネルギーに関する情報に加え、ユーザの快適性に基づいて判定することができ、多面的にデマンドレスポンス制御の成否を判定することができる。
【００１５】
本発明の第５観点に係る機器制御装置は、第４観点に係る機器制御装置であって、快適性に関する指標には、温度、湿度、照度、および二酸化炭素濃度の少なくとも１つを含む。
【００１６】
本発明の第５観点に係る機器制御装置では、空調、照明、換気等に関連する快適性指標に基づいて、デマンドレスポンス制御の成否を判定することができる。
【００１７】
本発明の第６観点に係る機器制御装置は、エネルギー消費量の目標値に関する情報を含まない所定期間におけるエネルギー消費量の調整要求を受けて機器の制御を行う機器制御装置である。当該機器制御装置は、出力部と、判定部と、を備える。出力部は、機器のユーザに対して情報を出力する。判定部は、デマンドレスポンス制御の成否を、所定期間における機器の消費エネルギーに関する情報に少なくとも基づいて判定し、出力部に出力させる。デマンドレスポンス制御は、調整要求を受けて行われる所定期間の機器のエネルギー消費量の調整制御である。判定部は、所定期間における機器の消費エネルギーに関する情報としての、所定期間にデマンドレスポンス制御を実行し機器のエネルギー消費量を調整することでユーザが獲得した金銭的利益の額と、所定の基準額とを比較することで、デマンドレスポンス制御の成否を判定する。
【００１８】
本発明の第６観点に係る機器制御装置では、調整要求がエネルギー消費量の目標値を含まない場合であっても、デマンドレスポンスを実行して機器の消費エネルギーを調整することで機器のユーザが獲得した金銭的利益の額に基づいてデマンドレスポンス制御の成否を判定することができる。
【００１９】
本発明の第７観点に係る機器制御装置は、第１観点から第６観点のいずれかに係る機器制御装置であって、出力部は、デマンドレスポンス制御の成否に関する詳細情報を更に出力する。
【００２０】
本発明の第７観点に係る機器制御装置では、デマンドレスポンス制御の成否に加え、デマンドレスポンス制御の成否に関する詳細情報が出力されるため、機器のユーザは、例えば、デマンドレスポンス制御の失敗の原因や、さらなる改善の余地等を把握することが容易である。
【００２１】
本発明の第８観点に係る機器制御装置は、第１観点から第７観点のいずれかに係る機器制御装置であって、出力部は、判定部により成否が判定されたデマンドレスポンス制御に対するアドバイスを更に出力する。
【００２２】
本発明の第８観点に係る機器制御装置では、デマンドレスポンス制御の成否に加え、デマンドレスポンス制御に対するアドバイスが出力されるため、ユーザは、デマンドレスポンス制御をどのように改善すべきか、あるいは、現状のデマンドレスポンス制御がベストなのか等を把握することが容易である。
【発明の効果】
【００２３】
本発明の第１観点に係る機器制御装置では、機器のユーザに対し、デマンドレスポンス制御の成否が出力されるため、機器のユーザは、デマンドレスポンス制御が適切に実行されたかを容易に判断することができる。
【００２４】
本発明の第２観点に係る機器制御装置では、デマンドレスポンス制御によりどれだけのメリットを得ることができたのかをユーザが定量的に把握することができる。
【００２５】
本発明の第３観点および第４観点に係る機器制御装置では、多面的にデマンドレスポンス制御の成否を判定することができる。
【００２６】
本発明の第５観点に係る機器制御装置では、空調、照明、換気等に関連する快適性指標に基づいて、デマンドレスポンス制御の成否を判定することができる。
【００２７】
本発明の第６観点に係る機器制御装置では、調整要求がエネルギー消費量の目標値を含まない場合であっても、デマンドレスポンスを実行して機器の消費エネルギーを調整することでユーザが獲得した金銭的利益の額に基づいてデマンドレスポンス制御の成否を判定することができる。
【００２８】
本発明の第７観点に係る機器制御装置では、ユーザが、デマンドレスポンス制御の失敗の原因や、さらなる改善の余地等を把握することが容易である。
【００２９】
本発明の第８観点に係る機器制御装置では、ユーザが、デマンドレスポンス制御をどのように改善すべきか、あるいは、現状のデマンドレスポンス制御がベストなのか等を把握することが容易である。
【図面の簡単な説明】
【００３０】
【図１】本発明の機器制御装置の第１実施形態に係るアグリゲータを含む、エネルギー管理システムを説明するための概略全体図である。
【図２】図１のエネルギー管理システムに含まれるアグリゲータのブロック図である。
【図３】図１のエネルギー管理システムに含まれる制御装置のブロック図である。
【図４】図１のエネルギー管理システムにおいて、制御装置の表示部に表示される制御成否表示画面の一例である。
【図５】図１のエネルギー管理システムにおいて、制御装置の表示部に表示される制御成否表示画面の他の例である。
【図６】図１のエネルギー管理システムにおいて、制御装置の表示部に表示される詳細表示画面の一例である。
【図７】図１のエネルギー管理システムにおいて、制御装置の表示部に表示される詳細表示画面の他の例である。
【図８】図１のエネルギー管理システムにおいて、制御装置の表示部に表示される詳細表示画面の他の例である。
【図９】本発明の機器制御装置の第２実施形態に係る制御装置を含む、エネルギー管理システムを説明するための概略全体図である。
【図１０】図９のエネルギー管理システムに含まれる制御装置のブロック図である。
【図１１】図９のエネルギー管理システムにおいて、制御装置の表示部に表示される制御成否表示画面の一例である。
【図１２】図９のエネルギー管理システムにおいて、制御装置の表示部に表示される詳細表示画面の一例である。
【図１３】図９のエネルギー管理システムにおいて、制御装置の表示部に表示される詳細表示画面の他の例である。
【発明を実施するための形態】
【００３１】
本発明に係る機器制御装置の実施形態について、図面を参照して説明する。なお、下記の実施形態は、具体例にすぎず、本発明の趣旨を逸脱しない範囲で適宜変更可能である。
【００３２】
＜第１実施形態＞
（１）全体構成
図１は、本発明の機器制御装置の第１実施形態に係るアグリゲータ１０を含む、電力管理システム１００の概略全体図である。
【００３３】
電力管理システム１００は、電力供給者としての電力会社１と、電力需要者としての複数の建物２と、複数の建物２における消費電力（エネルギー消費量）を管理するアグリゲータ１０とを主に含む（図１参照）。なお、本実施形態では、電力管理システム１００に含まれるアグリゲータ１０は１台であるが、これに限定されるものではなく、電力管理システム１００には複数のアグリゲータ１０が含まれてもよい。
【００３４】
電力会社１は、自ら発電した電力、および／又は、他者が発電した電力を、複数の建物２を含む電力需要者に供給する。電力会社１は、図１のように、管理装置１ａを有している。
【００３５】
管理装置１ａは、図１のように、アグリゲータ１０と、インターネット等の通信ネットワーク３ａにより接続されている。管理装置１ａは、電力会社１の電力供給量および電力需要者の電力需要量を予測し、電力供給量と電力需要量とがバランスするかを判断する。管理装置１ａは、電力需要量と電力供給量とがバランスしないと判断した場合に、アグリゲータ１０に対して、アグリゲータ１０が管理する建物２における消費電力の調整を要求する。具体的には、管理装置１ａは、電力需要が電力供給を上回ると判断した場合に、アグリゲータ１０に対して、アグリゲータ１０が管理する建物２における消費電力の抑制を要求する。
【００３６】
管理装置１ａは、アグリゲータ１０に対して消費電力の抑制を要求する際に、消費電力の抑制を要求する期間（以後、抑制要求期間と呼ぶ場合がある）に関する情報、抑制要求期間にアグリゲータ１０の管理する複数の建物２の全体において許容される最大消費電力（以後、全体許容消費電力と呼ぶ場合がある）に関する情報、および、消費電力の抑制に応じた場合の報奨金（以後、抑制に対する報奨金と呼ぶ場合がある）に関する情報を併せて送信する。
【００３７】
アグリゲータ１０は、複数の建物２における消費電力を管理する装置である。アグリゲータ１０は、図１のように、電力会社１の管理装置１ａと、インターネット等の通信ネットワーク３ａにより接続されている。また、アグリゲータ１０は、図１のように、各建物２に設置された後述する制御装置２０および電力計５０と、インターネット等の通信ネットワーク３ｂにより接続されている。
【００３８】
アグリゲータ１０は、電力会社１から消費電力の調整要求を受け付け、受け付けた調整要求を実現するよう、建物２に設置された後述する制御装置２０に対し、消費電力の抑制指令を送信する。
【００３９】
アグリゲータ１０は、管理装置１ａが建物２における消費電力の抑制を要求する際に、管理装置１ａから、抑制要求期間に関する情報、全体許容消費電力に関する情報、抑制に対する報奨金に関する情報を消費電力の抑制要求（調整要求）として受け付ける。また、アグリゲータ１０は、制御装置２０から各種情報を受け付ける（各種情報の内容は後述する）。また、アグリゲータ１０は、電力計５０から各建物２の消費電力に関する情報を受け付ける。
【００４０】
アグリゲータ１０は、管理装置１ａからの消費電力の抑制要求に対し、抑制要求期間に、アグリゲータ１０が管理する複数の建物２における消費電力の合計が全体許容消費電力以下になるよう、各制御装置２０に対して消費電力の抑制指令を送信する。複数の建物２では、基本的に、消費電力の抑制指令に基づいて、抑制要求期間中に、建物２に設置される後述の複数の機器３０の少なくとも一部の消費電力の調整制御（以後、デマンドレスポンス制御と呼ぶ場合がある）が行われる。
【００４１】
抑制要求期間に、アグリゲータ１０が管理する複数の建物２における消費電力の合計が全体許容消費電力以下に調整されると、アグリゲータ１０の運用者には、消費電力の調整要求時に提示された抑制に対する報奨金が、電力会社１から支払われる。アグリゲータ１０の運用者は、抑制に対する報奨金の一部を、デマンドレスポンス制御が行われた建物２の使用者等（機器３０のユーザ）に対して支払う。アグリゲータ１０は、抑制要求期間後（建物２においてデマンドレスポンス制御が実行された後）に、各建物２の消費電力に関する情報に基づいて、各建物２の使用者等に対して支払う金額（以後、インセンティブ金額と呼ぶ）を決定する。
【００４２】
また、アグリゲータ１０は、制御装置２０から受信する各種情報や、電力計５０から受信する消費電力に関する情報に基づいて、各建物２におけるデマンドレスポンス制御の成否を判定し、判定結果を制御装置２０に送信する。
【００４３】
建物２は、ここでは住宅である。建物２は、建物全体を意味するものでなくてもよく、例えば集合住宅内の１つの区画であってもよい。また、建物２は、住宅に限定されるものではなく、オフィスビル、商業施設、工場等であってもよい。
【００４４】
建物２には、制御装置２０、複数の機器３０、複数のセンサ４０、および電力計５０が設置されている（図１参照）。なお、図１では、建物２に、複数の機器３０およびセンサ４０が設置されているが、機器３０、および／又は、センサ４０は、１台であってもよい。制御装置２０は、複数のセンサ４０、および電力計５０と、ＬＡＮ等の通信ネットワーク３ｃにより接続されている（図１参照）。また、制御装置２０は、少なくとも一部の機器３０とＬＡＮ等の通信ネットワーク３ｃにより接続されている（図１参照）。なお、制御装置２０は、全ての機器３０と通信ネットワーク３ｃにより接続されていてもよい。また、制御装置２０は、アグリゲータ１０と、通信ネットワーク３ｂにより接続されている（図１参照）。電力計５０も、アグリゲータ１０と、通信ネットワーク３ｂにより接続されている（図１参照）。
【００４５】
複数の機器３０は、各種電気機器である。複数の機器３０には、例えば、エアコン、冷蔵庫、照明、換気扇、洗濯機、ドライヤー等を含む。ただし、機器３０の種類は、例示であって、これに限定されるものではない。通信ネットワーク３ｃを介して制御装置２０と接続された機器３０は、制御装置２０に対し、機器３０の運転／停止に関する情報や、機器３０の運転条件（例えば機器３０が例えばエアコンであれば、運転モードや設定温度等）に関する情報を、所定時間間隔（例えば１分間隔）で送信する。
【００４６】
建物２には、機器３０の消費電力を個別に計測する計測器３０ａが設けられている（図１参照）。計測器３０ａは、ＬＡＮ等の通信ネットワーク３ｃにより、制御装置２０と接続されている（図１参照）。なお、図１では、計測器３０ａは機器３０毎に設けられているが、これに限定されるものではない。計測器３０ａは、１台で２台以上の機器３０について消費電力を計測可能なものであってもよく、１台で全ての機器３０について消費電力を計測可能なものであってもよい。計測器３０ａは、機器３０の消費電力に関する情報を、所定時間間隔で制御装置２０に送信する。例えば、計測器３０ａは、１秒間隔で機器３０の消費電力を測定し、測定結果を制御装置２０に送信する。ただし、上記の計測器３０ａの動作は一例であって、これに限定されるものではない。例えば、計測器３０ａは、連続的に機器３０の消費電力の計測を行い、１分間隔で、過去１分間に計測された最大消費電力や平均電力の値を、制御装置２０に送信してもよい。
【００４７】
複数のセンサ４０は、建物２において、各種の、機器３０のユーザの快適性に関する指標（以後、快適性指標と呼ぶ場合がある）の値を測定するセンサである。複数のセンサ４０には、例えば、室温を測定する温度センサ、照度を測定する照度センサ、二酸化炭素濃度を測定する二酸化炭素濃度センサ等を含む。ただし、センサ４０の種類は、例示であって、これに限定されるものではない。例えば、センサ４０は、湿度を測定する湿度センサを含んでもよい。また、センサ４０には、上記の種類のセンサの一部又は全部が含まれなくてもよい。センサ４０は、所定時間間隔（例えば５分間隔）で、そのセンサ４０の計測対象である快適性指標の値を測定し、測定した値を制御装置２０に送信する。ただし、センサ４０の動作は一例であって、これに限定されない。例えば、センサ４０は、１分間隔で快適性指標の値を測定し、５回分の測定結果の平均値を、５分間隔で制御装置２０に送信するよう構成されてもよい。
【００４８】
電力計５０は、アグリゲータ１０および制御装置２０と通信可能なスマートメータである。電力計５０は、建物２における消費電力、消費電力量等を計測する。電力計５０は、所定時間間隔でアグリゲータ１０に建物２の消費電力に関する情報を送信する。例えば、電力計５０は、連続的に建物２の消費電力の計測を行い、１分間隔で、過去１分間に計測された最大消費電力の値を、アグリゲータ１０に送信する。ただし、電力計５０の動作は一例であって、上記のものに限定されない。例えば、電力計５０は、連続的に建物２の消費電力の計測を行い、１分間隔で過去１分間に計測された最大消費電力の値を取得し、取得した３０分間分の値を、時系列の情報として、アグリゲータ１０に一括して送信するよう構成されてもよい。また、例えば、電力計５０は、建物２の消費電力の計測を１秒間隔で行い、過去１分間に計測された消費電力の値を時系列の情報として、１分間隔でアグリゲータ１０に送信するよう構成されてもよい。
【００４９】
制御装置２０は、通信ネットワーク３ｃを介して接続された機器３０と通信を行い、また計測器３０ａから機器３０の消費電力に関する情報を受信することで、各機器３０の使用状況に関する情報を取得する。制御装置２０が取得する各機器３０の使用状況に関する情報には、各機器３０の運転／停止に関する情報、各機器３０の運転条件に関する情報、および、各機器３０の消費電力に関する情報が含まれる。また、制御装置２０は、複数のセンサ４０から各種測定値を取得する。
【００５０】
制御装置２０は、アグリゲータ１０から消費電力の抑制指令を受け付ける。制御装置２０は、アグリゲータ１０からの消費電力の抑制指令や、機器３０のユーザの制御装置２０に対する入力に基づいて、抑制要求期間中に、複数の機器３０の少なくとも一部を制御する。その結果、建物２では、デマンドレスポンス制御が実行され、建物２における消費電力が調整される。
【００５１】
制御装置２０は、機器３０のユーザにより入力された各種設定や、機器３０の使用状況に関する情報や、センサ４０の測定値を、アグリゲータ１０に対して送信する。アグリゲータ１０は、制御装置２０が送信するこれらの情報や、電力計５０が送信する消費電力に関する情報に基づいて、デマンドレスポンス制御の成否を各建物２について個別に判定し、その判定結果を判定対象の建物２に設置された制御装置２０に対して送信する。デマンドレスポンス制御の成否を受信した制御装置２０は、後述する表示部２３に、デマンドレスポンス制御の成否を表示する。
【００５２】
（２）詳細構成
以下に、電力管理システム１００に含まれる、アグリゲータ１０および制御装置２０について詳細に説明する。
【００５３】
（２−１）アグリゲータ
アグリゲータ１０は、管理対象の複数の建物２における消費電力を管理するコンピュータである。アグリゲータ１０は、機器制御装置の一例である。アグリゲータ１０は、管理装置１ａから、消費電力の調整要求、特にここでは、抑制要求期間における消費電力の抑制要求を受けて、建物２内に設置された複数の機器３０の少なくとも一部の制御を行う。
【００５４】
アグリゲータ１０は、主に、通信部１１、入力部１２、表示部１３、記憶部１４、および制御部１５を備える（図２参照）。
【００５５】
（２−１−１）通信部
通信部１１は、通信ネットワーク３ａを介して接続される管理装置１ａ、および、通信ネットワーク３ｂを介して接続される制御装置２０および電力計５０と、アグリゲータ１０との通信を可能にする通信インターフェイスである。
【００５６】
通信部１１は、管理装置１ａ、制御装置２０、および、電力計５０から各種信号を受け付ける。以下に具体的に説明する。
【００５７】
通信部１１は、管理装置１ａから、所定期間における消費電力の調整要求を受け付ける。より具体的には、通信部１１は、管理装置１ａが建物２における消費電力の抑制を要求する際に、管理装置１ａから、抑制要求期間に関する情報、全体許容消費電力に関する情報、および、抑制に対する報奨金に関する情報を消費電力の抑制要求（調整要求）として受信する。通信部１１が受信した消費電力の抑制要求の内容、つまり、抑制要求期間に関する情報、全体許容消費電力に関する情報、抑制に対する報奨金に関する情報は、後述する記憶部１４の調整要求記憶領域１４ａに記憶される。
【００５８】
通信部１１は、制御装置２０のそれぞれから、快適性指標の目標値を受信する。快適性指標の目標値は、具体的には、例えば、室温、照度、および二酸化炭素濃度の目標値である。また、通信部１１は、制御装置２０のそれぞれから、デマンドレスポンス制御を実行することで獲得できるインセンティブ金額の目標値を受信する。快適性指標の目標値、および、インセンティブ金額の目標値は、各制御装置２０の後述する入力部２２に、機器３０のユーザにより入力される値である。通信部１１が受信した、快適性指標の目標値、および、インセンティブ金額の目標値は、後述する記憶部１４の判定基準記憶領域１４ｃに、建物２別に（制御装置２０別に）記憶される。
【００５９】
また、通信部１１は、各制御装置２０から、所定時間間隔毎に機器３０の使用状況に関する情報を受信する。機器３０の使用状況に関する情報は、機器３０別の情報である。機器３０の使用状況に関する情報には、機器３０の運転／停止に関する情報、機器３０の運転条件に関する情報、機器３０の消費電力に関する情報を含む。通信部１１が受信した、機器３０の使用状況に関する情報は、後述する記憶部１４の機器使用状況記憶領域１４ｄに、機器３０別に（情報が、どの建物２に設置された、どの機器３０に関する情報であるかを判別可能に）記憶される。機器使用状況記憶領域１４ｄには、機器３０の使用状況に関する情報が、時系列の情報として記憶される。
【００６０】
また、通信部１１は、各制御装置２０から、所定時間間隔毎にセンサ４０の測定値を受信する。通信部１１が受信するセンサ４０の測定値は、例えば、室温、照度、および二酸化炭素濃度である。通信部１１が受信した、センサ４０の測定値は、後述する記憶部１４の快適性指標値記憶領域１４ｅに、センサ４０別に（測定値が、どの建物２に設置された、どのセンサ４０の測定値であるかを判別可能に）記憶される。快適性指標値記憶領域１４ｅには、センサ４０の測定値が、時系列の情報として記憶される。
【００６１】
通信部１１は、所定時間間隔毎に電力計５０から各建物２の消費電力に関する情報を受信する。具体的には、通信部１１は、電力計５０から１分間隔で送信されてくる建物２の消費電力に関する情報を受信する。通信部１１が受信した、各建物２の消費電力に関する情報は、時系列の情報として、後述する記憶部１４の消費電力記憶領域１４ｆに、建物２別に（制御装置２０別に）記憶される。
【００６２】
通信部１１は、制御装置２０に各種信号を送信する。以下に具体的に説明する。
【００６３】
通信部１１は、後述する制御部１５の抑制指令生成部１５ａが建物２のそれぞれに対して個別に生成する消費電力の抑制指令を、各建物２の制御装置２０に送信する。
【００６４】
また、通信部１１は、機器３０のユーザに対して情報を出力する。つまり、通信部１１は、出力部の一例である。具体的には、通信部１１は、制御装置２０に対して情報を出力（送信）する。制御装置２０に対して出力された情報は、後述する制御装置２０の表示部２３に、機器３０のユーザに対する情報として表示される。通信部１１は、例えば、後述する制御部１５の判定部１５ｃにより判定される、各建物２における、抑制要求期間の機器３０の消費電力の調整制御（デマンドレスポンス制御）の成否を、判定対象の建物２に設置された制御装置２０に出力する。また、通信部１１は、例えば、デマンドレスポンス制御の成否に関する詳細情報、および、判定部１５ｃにより成否が判定されたデマンドレスポンス制御に対するアドバイスを、デマンドレスポンス制御の成否の判定対象の建物２に設置された制御装置２０に出力する。
【００６５】
（２−１−２）入力部
入力部１２は、キーボードやマウス等の入力インターフェイスである。アグリゲータ１０の運用者は、アグリゲータ１０に対する各種指令や各種情報を、入力部１２を介して入力可能である。
【００６６】
（２−１−３）表示部
表示部１３は、例えば、液晶ディスプレイである。表示部１３には、アグリゲータ１０に関する各種情報を表示可能である。
【００６７】
（２−１−４）記憶部
記憶部１４は、主に、ＲＡＭ、ＲＯＭ、およびハードディスク等を含む。記憶部１４には、制御部１５により使用される各種プログラムや、各種情報が記憶される。
【００６８】
記憶部１４は、情報の記憶領域として、調整要求記憶領域１４ａ、目標消費電力記憶領域１４ｂ、判定基準記憶領域１４ｃ、機器使用状況記憶領域１４ｄ、快適性指標値記憶領域１４ｅ、消費電力記憶領域１４ｆ、および、インセンティブ金額記憶領域１４ｇを有する。
【００６９】
（２−１−４−１）調整要求記憶領域
調整要求記憶領域１４ａには、通信部１１が管理装置１ａから受信した、抑制要求期間に関する情報、全体許容消費電力に関する情報、および抑制に対する報奨金に関する情報が記憶される。
【００７０】
（２−１−４−２）目標消費電力記憶領域
目標消費電力記憶領域１４ｂには、後述する制御部１５の抑制指令生成部１５ａが抑制指令を生成する際に算出する、建物２別の、抑制要求期間における消費電力の目標値（抑制要求期間に建物２で許容される消費電力の最大値）が記憶される。
【００７１】
（２−１−４−３）判定基準記憶領域
判定基準記憶領域１４ｃには、通信部１１が各制御装置２０から受信した、快適性指標の目標値（例えば、室温、照度、および二酸化炭素濃度の目標値）と、インセンティブ金額の目標値とが、建物２別に（制御装置２０別に）記憶される。
【００７２】
（２−１−４−４）機器使用状況記憶領域
機器使用状況記憶領域１４ｄは、通信部１１が各制御装置２０から受信した、機器３０の使用状況に関する情報を記憶する。機器使用状況記憶領域１４ｄに記憶される機器３０の使用状況に関する情報には、機器３０の運転／停止に関する情報、機器３０の運転条件に関する情報、機器３０の消費電力に関する情報を含む。機器使用状況記憶領域１４ｄには、機器３０の使用状況に関する情報が、機器３０別の時系列の情報として記憶される。
【００７３】
（２−１−４−５）快適性指標値記憶領域
快適性指標値記憶領域１４ｅは、通信部１１が各制御装置２０から受信した、センサ４０の測定値（快適性指標値）を記憶する。具体的には、快適性指標値記憶領域１４ｅは、各建物２のセンサ４０が測定した、室温、照度、および二酸化炭素濃度を記憶する。快適性指標値記憶領域１４ｅには、センサ４０の測定値が、センサ４０別の時系列の情報として記憶される。
【００７４】
（２−１−４−６）消費電力記憶領域
消費電力記憶領域１４ｆは、通信部１１が電力計５０から受信した、各建物２の消費電力に関する情報を記憶する。消費電力記憶領域１４ｆには、通信部１１が受信した各建物２の消費電力に関する情報が、建物２別に、時系列の情報として記憶される。
【００７５】
（２−１−４−７）インセンティブ金額記憶領域
インセンティブ金額記憶領域１４ｇは、後述する制御部１５のインセンティブ金額算出部１５ｂが各建物２に関して算出したインセンティブ金額を記憶する。
【００７６】
（２−１−５）制御部
制御部１５は、主にＣＰＵからなり、記憶部１４に記憶されたプログラムを実行することで各種処理を実行する。
【００７７】
制御部１５は、記憶部１４に記憶されたプログラムを実行することで、主に抑制指令生成部１５ａ、インセンティブ金額算出部１５ｂ、判定部１５ｃ、および画面生成部１５ｄとして機能する。
【００７８】
（２−１−５−１）抑制指令生成部
抑制指令生成部１５ａは、通信部１１が管理装置１ａから消費電力の調整要求を受信した時に、抑制要求期間に、建物２で機器３０の消費電力の調整制御（デマンドレスポンス制御）が実行されるように、制御装置２０に対する消費電力の抑制指令を生成する。なお、消費電力の抑制指令は、具体的には、制御装置２０に対し、その制御装置２０が、通信ネットワーク３ｃにより接続された機器３０のうち、どの機器３０の運転を、どのように制御するかを具体的に指示する指令である。
【００７９】
具体的には、抑制指令生成部１５ａは、以下の様に、消費電力の抑制指令を生成する。
【００８０】
初めに、抑制指令生成部１５ａは、建物２別に、デマンドレスポンス制御中の、建物２別の消費電力の目標値（抑制要求期間に許容される消費電力の最大値）を算出する。具体的には、抑制指令生成部１５ａは、調整要求記憶領域１４ａに記憶された全体許容消費電力に関する情報と、消費電力記憶領域１４ｆに記憶された各建物２の消費電力に関する情報と、に基づいて、建物２別の消費電力の目標値を算出する。
【００８１】
例えば、抑制指令生成部１５ａは、消費電力記憶領域１４ｆに記憶された、各建物２の最新の消費電力に関する情報に基づき、各建物２の最新の消費電力の大きさに比例するように、消費電力の抑制量を各建物２に割り当てる。ここで、消費電力の抑制量とは、現在の消費電力に対して抑制される消費電力の量を意味する。なお、各建物２に割り当てられる消費電力の抑制量は、各建物２の現在の消費電力に対し、各建物２に割り当てられた抑制量だけ消費電力が削減された場合に、全建物２の消費電力の合計が、全体許容消費電力を下回るように決定される。そして、抑制指令生成部１５ａは、消費電力記憶領域１４ｆに記憶された各建物２の最新の消費電力に関する情報（各建物２の最新の最大消費電力の値）から、各建物２に割り当てられた消費電力の抑制量を減じることで、各建物２の、抑制要求期間における消費電力の目標値を算出する。算出された、建物２別の、消費電力の目標値は、目標消費電力記憶領域１４ｂに記憶される。
【００８２】
なお、抑制指令生成部１５ａの建物２別の消費電力の目標値の算出方法は例示であって、これに限定されるものではない。例えば、抑制指令生成部１５ａは、全建物２の消費電力の抑制量が同一となるように、各建物２に消費電力の抑制量を割り当ててもよい。また、例えば、抑制指令生成部１５ａは、全建物２の一部だけに、消費電力の抑制量を割り当ててもよい。また、例えば、抑制指令生成部１５ａは、抑制要求期間内で、各建物２に割り当てられる消費電力の抑制量が変動するように、各建物２に消費電力の抑制量を割り当ててもよい。
【００８３】
次に、抑制指令生成部１５ａは、機器使用状況記憶領域１４ｄに記憶された機器３０の使用状況に関する情報に基づき、その建物２の消費電力の合計が算出された消費電力の目標値を下回るような、機器３０の制御を決定する。ここでの機器３０の制御の決定には、どの機器３０を制御の対象とするかの決定（制御対象の決定）と、その機器３０をどのように制御するかの決定（制御内容の決定）とを含む。なお、ここでは、制御装置２０に通信ネットワーク３ｃにより接続された機器３０だけを制御の対象とする。
【００８４】
抑制指令生成部１５ａにより決定される機器３０の制御内容には、例えば、機器３０の運転条件の変更（例えば、機器３０がエアコンであれば設定温度の変更等）、機器３０の停止、機器３０の運転時刻の変更（例えば、機器３０が洗濯機であれば、予約されている運転時刻を変更）を含む。ただし、これに限定されるものではなく、機器３０の特性に応じ適切な制御内容が決定されればよい。
【００８５】
抑制指令生成部１５ａによる制御対象の決定は、例えば、予め定められた優先順位に基づいて、あるいは、各制御装置２０に対して機器３０のユーザが入力した優先順位に基づいて行われる。
【００８６】
具体例を挙げて説明すれば、抑制指令生成部１５ａは、所定の優先順位に基づいて、例えば、初めに機器３０に含まれる換気扇を停止することを決定する。抑制指令生成部１５ａは、換気扇を停止しても、建物２の消費電力の合計が消費電力の目標値を下回らないと判断される場合、所定の優先順位に基づいて、次に、機器３０に含まれるエアコンの設定温度を所定温度だけ変更することを更に決定する。抑制指令生成部１５ａは、エアコンの設定温度を変更しても、建物２の消費電力の合計が消費電力の目標値を下回らないと判断される場合、機器３０に含まれる洗濯機の運転時刻を変更することを更に決定する。
【００８７】
なお、抑制指令生成部１５ａによる制御対象の決定は、上記の方法に限定されるものではない。例えば、抑制指令生成部１５ａは、機器使用状況記憶領域１４ｄに記憶された機器３０の使用状況に関する情報に基づき、現在の消費電力が多い順に、機器３０を制御対象に選択するように構成されてもよい。
【００８８】
最後に、抑制指令生成部１５ａは、決定された制御対象の機器３０が、決定された制御内容で制御されるよう、制御装置２０が機器３０を制御するための消費電力の抑制指令を生成する。抑制指令生成部１５ａに生成された消費電力の抑制指令は、抑制制御期間の開始前に、通信部１１を介して制御装置２０に送信される。
【００８９】
（２−１−５−２）インセンティブ金額算出部
インセンティブ金額算出部１５ｂは、抑制要求期間の終了後（各建物２においてデマンドレスポンス制御が実行された後）に、インセンティブ金額を算出する。インセンティブ金額は、各建物２でデマンドレスポンス制御が実行されたことに対して、各建物２の機器３０のユーザが獲得する金額である。なお、建物２が例えばオフィスビルや工場等である場合には、機器３０のユーザが獲得するとは、機器３０を使用する人が勤務している会社等が獲得する場合を含む。
【００９０】
インセンティブ金額算出部１５ｂは、調整要求記憶領域１４ａに記憶された抑制に対する報奨金に関する情報と、目標消費電力記憶領域１４ｂに記憶された建物２別の抑制要求期間における消費電力の目標値と、消費電力記憶領域１４ｆに記憶された建物２別の消費電力に関する情報とに基づいて、各建物２の機器３０のユーザが獲得するインセンティブ金額を算出する。
【００９１】
例えば、インセンティブ金額算出部１５ｂは、調整要求記憶領域１４ａに記憶された抑制に対する報奨金に関する情報に基づき、抑制に対する報奨金のうち所定の割合を、各建物２の機器３０のユーザに対して支払うインセンティブ金額の総額に決定する。次に、インセンティブ金額算出部１５ｂは、消費電力記憶領域１４ｆに記憶された建物２別の消費電力に関する情報（１分間毎の最大消費電力）に基づいて、抑制要求期間における最大消費電力の平均値を算出し、これを抑制要求期間における消費電力の目標値と比較して、各建物２の抑制要求期間における消費電力の目標値と最大消費電力の平均値との差（具体的には、最大消費電力の平均値から消費電力の目標値を減じた値）を算出する。また、インセンティブ金額算出部１５ｂは、消費電力記憶領域１４ｆに記憶された建物２別の時系列の消費電力に関する情報（１分間毎の最大消費電力）を、抑制要求期間における消費電力の目標値と比較して、各建物２において消費電力が、抑制要求期間における消費電力の目標値を超過していた超過時間を算出する。その上で、インセンティブ金額算出部１５ｂは、各建物２の、抑制要求期間における消費電力の目標値と最大消費電力の平均値との差と、消費電力が抑制要求期間における消費電力の目標値を超過していた超過時間とに基づいて、インセンティブ金額の総額を各建物２に割り振る。例えば、インセンティブ金額算出部１５ｂは、建物２の消費電力の目標値と最大消費電力の平均値との差の値が大きいほど、また、建物２の超過時間が短いほど、その建物２に多くの金額を割り当てるよう構成される。
【００９２】
ただし、インセンティブ金額算出部１５ｂによるインセンティブ金額の算出方法は一例である、これに限定されるものではない。例えば、インセンティブ金額の算出方法は、ある建物２において、抑制要求期間における消費電力の目標値を超過していた超過時間がなければインセンティブ金額を所定額とし、抑制要求期間において消費電力の目標値を超過していた超過時間があればインセンティブ金額をゼロにするという方法であってもよい。
【００９３】
インセンティブ金額算出部１５ｂにより算出されたインセンティブ金額は、インセンティブ金額記憶領域１４ｇに記憶される。
【００９４】
（２−１−５−３）判定部
判定部１５ｃは、管理装置１ａからの消費電力の調整要求を受けて、建物２において行われる、抑制要求期間の機器３０の消費電力の調整制御（デマンドレスポンス制御）の成否を建物２別に判定する。判定部１５ｃは、抑制要求期間が終了する度に、建物２別にデマンドレスポンス制御の成否を判定する。
【００９５】
さらに、判定部１５ｃは、建物２別にデマンドレスポンス制御の成否を判定する度に、通信部１１に、その判定結果（デマンドレスポンス制御の成否）を出力させる。具体的には、判定部１５ｃは、各建物２のデマンドレスポンス制御の成否の結果を用いて、各建物２のデマンドレスポンス制御の成否を示す画面を生成するよう画面生成部１５ｄに指示する。画面生成部１５ｄは、判定部１５ｃの指示を受けて、デマンドレスポンス制御の成否を示す画面を建物２別に生成し、画面の画像データが、対応する建物２に設置された制御装置２０に対して出力されるように、通信部１１に指令を与える。
【００９６】
以下に、判定部１５ｃによるデマンドレスポンス制御の成否の判定処理について説明する。
【００９７】
（２−１−５−３−１）デマンドレスポンス制御の成否の判定処理
判定部１５ｃは、目標消費電力記憶領域１４ｂに記憶された建物２別の抑制要求期間における消費電力の目標値と、判定基準記憶領域１４ｃに記憶された、建物２別の、快適性指標の目標値およびインセンティブ金額の目標値と、快適性指標値記憶領域１４ｅに記憶されたセンサ４０別の測定値（快適性指標値）と、消費電力記憶領域１４ｆに記憶された建物２別の抑制要求期間における消費電力に関する情報と、インセンティブ金額記憶領域１４ｇに記憶された建物２別のインセンティブ金額と、に基づいて、デマンドレスポンス制御の成否を建物２別に判定する。
【００９８】
具体的には、判定部１５ｃは、以下の３つの条件に関して判定を行い、全ての条件を満たす場合に、デマンドレスポンス制御が成功したと判定する。一方、判定部１５ｃは、以下の３つの条件を１つでも満たさない場合、デマンドレスポンス制御が失敗したと判定する。
【００９９】
（Ａ）消費電力に関する条件
判定部１５ｃは、建物２別の抑制要求期間における消費電力の目標値と、建物２別の抑制要求期間における消費電力に関する情報とに基づいて、ある建物２において、抑制要求期間中に、消費電力が、消費電力の目標値を超過した時間が存在したか否かを判定する。判定部１５ｃは、抑制要求期間中に、消費電力の目標値を、消費電力が超過した時間が存在しない場合、デマンドレスポンス制御が消費電力に関する条件を満たしたと判定する。
【０１００】
（Ｂ）インセンティブ金額に関する条件
判定部１５ｃは、建物２別のインセンティブ金額の目標値と、建物２別のインセンティブ金額に基づいて、ある建物２において、アグリゲータ１０に割り当てられたインセンティブ金額が、インセンティブ金額の目標値以上であるか否かを判定する。判定部１５ｃは、アグリゲータ１０に割り振られたインセンティブ金額が、インセンティブ金額の目標値以上である場合に、デマンドレスポンス制御がインセンティブ金額に関する条件を満たしたと判定する。
【０１０１】
（Ｃ）快適性に関する条件
判定部１５ｃは、建物２別の快適性指標の目標値と、センサ４０別の測定値とに基づいて、ある建物２において、抑制要求期間中又は抑制要求期間終了時の測定値が、快適性指標の目標値を満足するかを判定する。
【０１０２】
具体例を挙げて説明すれば、例えば、判定部１５ｃは、建物２で冷房が行われている場合であれば、センサ４０で計測された室温の値が、抑制要求期間中および抑制要求期間終了時に、室温の目標値以下であるか判定する。また、例えば、判定部１５ｃは、センサ４０で計測された照度の値が、抑制要求期間中に、照度の目標値以上であるか判定する。また、例えば、判定部１５ｃは、センサ４０で計測された二酸化炭素濃度の値が、抑制要求期間終了時に、二酸化炭素濃度の目標値以下であるか判定する。
【０１０３】
判定部１５ｃは、ある建物２に関し、全てのセンサ４０の測定値が、快適性指標の目標値を満足する場合、デマンドレスポンス制御が快適性に関する条件を満たしたと判定する。
【０１０４】
（２−１−５−４）画面生成部
画面生成部１５ｄは、判定部１５ｃの指示に従い、判定部１５ｃのデマンドレスポンス制御の成否の判定結果を用いて、デマンドレスポンス制御の成否を表示する画面（制御成否表示画面）を生成する。また、画面生成部１５ｄは、デマンドレスポンス制御に関する詳細情報の表示画面（詳細表示画面）を生成する。なお、画面生成部１５ｄが生成する制御成否表示画面および詳細表示画面は、各建物２の制御装置２０の後述する表示部２３に表示させるための画面である。
【０１０５】
画面生成部１５ｄの生成する制御成否表示画面は、例えば、図４に示す画面Ｓ１や、図５に示す画面Ｓ２のような画面である。図４に示す画面Ｓ１は、判定部１５ｃによりデマンドレスポンス制御が成功と判定された場合の制御成否表示画面の例である。図５に示す画面Ｓ２は、判定部１５ｃによりデマンドレスポンス制御が失敗と判定された場合の制御成否表示画面の例である。画面生成部１５ｄは、目標消費電力記憶領域１４ｂ、判定基準記憶領域１４ｃ、快適性指標値記憶領域１４ｅ、消費電力記憶領域１４ｆ、および、インセンティブ金額記憶領域１４ｇに記憶された情報に基づいて、制御成否表示画面を生成する。
【０１０６】
制御成否表示画面に表示される内容には、図４および図５のように、デマンドレスポンス制御の成否の判定結果のほか、デマンドレスポンス制御の成否に関する詳細情報を含む。デマンドレスポンス制御の成否に関する詳細情報には、例えば、各建物２の消費電力の目標値および抑制要求期間中の消費電力の最大値（実測値）を含む。また、デマンドレスポンス制御の成否に関する詳細情報には、例えば、各建物２の、インセンティブ金額の目標値、および、デマンドレスポンス制御を実行することで機器３０のユーザが実際に獲得したインセンティブ金額を含む。また、デマンドレスポンス制御の成否に関する詳細情報には、例えば、各建物２の、室温の目標値および抑制要求期間終了時の室温（実測値）を含む。また、デマンドレスポンス制御の成否に関する詳細情報には、例えば、各建物２の、照度の目標値および抑制要求期間中の照度の最小値（実測値）を含む。また、デマンドレスポンス制御の成否に関する詳細情報には、例えば、各建物２の、二酸化炭素濃度の目標値および抑制要求期間終了時の二酸化炭素濃度（実測値）を含む。また、デマンドレスポンス制御の成否に関する詳細情報には、消費電力、インセンティブ金額、室温、照度、二酸化炭素濃度が、目標値を満足しているか否かの判定結果が含まれる。このように、１つの画面（制御成否表示画面）に、デマンドレスポンス制御の成否の判定結果と共に、デマンドレスポンス制御の判定の基礎となった各条件の判定結果が表示されるため、デマンドレスポンス制御が失敗であった場合に、その原因を容易に確認することができる。
【０１０７】
画面生成部１５ｄの生成する詳細表示画面は、例えば、図６に示す画面Ｓ１１や、図７に示す画面Ｓ１２や、図８に示す画面Ｓ１３のような画面である。
【０１０８】
図６に示す画面Ｓ１１は、判定部１５ｃによりデマンドレスポンス制御が成功と判定された場合の詳細表示画面の一例である。図７に示す画面Ｓ１２は、判定部１５ｃによりデマンドレスポンス制御が失敗と判定された場合の詳細表示画面の一例である。画面生成部１５ｄは、目標消費電力記憶領域１４ｂ、判定基準記憶領域１４ｃ、機器使用状況記憶領域１４ｄ、快適性指標値記憶領域１４ｅ、および消費電力記憶領域１４ｆに記憶された情報に基づいて、画面Ｓ１１および画面Ｓ１２を生成する。
【０１０９】
図６に示す画面Ｓ１１および図７に示す画面Ｓ１２に表示される内容には、機器３０別の抑制要求時間中の消費電力の時間変化や、抑制要求時間中の建物２全体の消費電力の目標値および実績値、デマンドレスポンス制御の前後の室温、デマンドレスポンス制御の制御内容等の、デマンドレスポンス制御の成否に関する詳細情報が含まれる。また、図６に示す画面Ｓ１１に表示される内容には、消費電力が消費電力の目標値を超過した時刻や、実際の消費電力が消費電力の目標値に対してどれだけ超過したか等の、デマンドレスポンス制御の成否に関する詳細情報が含まれる。
【０１１０】
なお、画面Ｓ１１や画面Ｓ１２に表示されるデマンドレスポンス制御の制御内容とは、機器使用状況記憶領域１４ｄに記憶された機器３０の使用状況に関する情報から把握される、抑制要求期間中に実際に実行された機器３０の消費電力の調整制御の内容である。デマンドレスポンス制御の制御内容は、抑制指令生成部１５ａが決定した機器３０の制御内容と一致しない場合がある。具体的には、後述するように制御装置２０に対する入力により、機器３０の制御内容が抑制指令生成部１５ａの決定した機器３０の制御内容から変更されている場合には、デマンドレスポンス制御の制御内容は、抑制指令生成部１５ａが決定した機器３０の制御内容とは一致しない。
【０１１１】
図６に示す画面Ｓ１１および図７に示す画面Ｓ１２に表示される内容は、更に、判定部１５ｃにより成否が判定されたデマンドレスポンス制御に対するアドバイスも含まれる。例えば、画面Ｓ１１に示した事例では、機器３０に含まれる洗濯機およびドライヤーが同時刻に使用されたことで、消費電力が消費電力の目標値を超過しているため、「使用時間をずらせる機器は、使用時間をずらしましょう。」というアドバイスが画面に表示される。また、画面Ｓ１２に示した事例では、消費電力は、消費電力の目標値以下に抑えられているものの、ドライヤーの使用時間を変更することで消費電力を更に抑制することができることから、「使用時間をずらせる機器は、使用時間をずらしましょう。」というアドバイスが画面に表示される。
【０１１２】
図８に示す画面Ｓ１３は、制御内容を変更した場合に、最大消費電力、インセンティブ金額、および、室温がどのように変化するかの予測を表示する画面の一例である。画面Ｓ１３では、特に、冷房運転中のエアコン（機器３０の一例）の設定温度を２℃上昇させるという今回実行された制御内容に対し、エアコンの設定温度を１℃上昇させた場合、３℃上昇させた場合、４℃上昇させた場合に、最大消費電力、インセンティブ金額、および、室温がどのように変化するかを表示している。図８に示す画面Ｓ１３の内容は、例えば、制御部１５が、記憶部１４に記憶された機器３０の特性や、過去のデマンドレスポンス制御時の各種情報等に基づいて算出した情報である。
【０１１３】
なお、以上に説明した制御成否表示画面および詳細表示画面の表示内容や、表示のレイアウト等は一例であり、これに限定されるものではない。制御成否表示画面は、その画面を見た建物２の機器３０のユーザが、少なくともデマンドレスポンス制御の成否を把握できる画面であればよく、例えば、制御成否表示画面には、デマンドレスポンス制御の成否に関する詳細情報は含まれていなくてもよい。また、例えば、制御成否表示画面に表示される内容に、デマンドレスポンス制御に対するアドバイスが含まれていてもよい。
【０１１４】
（２−２）制御装置
制御装置２０は、例えば、ＨＥＭＳ（Home Energy Management System）で用いられるコントローラである。制御装置２０は、建物２全体の消費電力や、建物２内の機器３０の使用状況や、機器３０の個別の消費電力を表示可能に構成される。また、制御装置２０は、建物２内の通信ネットワーク３ｃにより接続された機器３０の動作を、アグリゲータ１０が送信する消費電力の抑制指令や、建物２の居住者（機器３０のユーザ）の入力に基づいて制御する。
【０１１５】
制御装置２０は、主に、通信部２１、入力部２２、表示部２３、記憶部２４、および制御部２５を備える（図３参照）。
【０１１６】
（２−２−１）通信部
通信部２１は、通信ネットワーク３ｂを介して接続されるアグリゲータ１０、通信ネットワーク３ｃを介して接続される機器３０、計測器３０ａ、センサ４０、および電力計５０との通信を可能にする通信インターフェイスである。
【０１１７】
通信部２１は、アグリゲータ１０から各種信号を受信する。通信部２１は、例えば、アグリゲータ１０の抑制指令生成部１５ａが生成する消費電力の抑制指令や、画面生成部１５ｄが生成する制御成否表示画面および詳細表示画面の画像データ等を受け付ける。
【０１１８】
また、通信部２１は、通信ネットワーク３ｃを介して接続された機器３０と通信を行い、機器３０の運転／停止に関する情報や、機器３０の運転条件に関する情報を、所定時間間隔で受け付ける。また、通信部２１は、通信ネットワーク３ｃを介して接続された計測器３０ａと通信を行い、機器３０の消費電力に関する情報を、所定時間間隔で受け付ける。また、通信部２１は、通信ネットワーク３ｃを介して接続されたセンサ４０と通信を行い、所定時間間隔で、そのセンサ４０の計測対象である快適性指標の値を受け付ける。また、通信部２１は、通信ネットワーク３ｃを介して接続された電力計５０と必要に応じて通信を行い、建物２の消費電力や消費電力量の値を受け付ける。
【０１１９】
また、通信部２１は、アグリゲータ１０に各種情報を送信する。例えば、通信部２１は、後述する入力部２２に入力された、快適性指標の目標値およびインセンティブ金額の目標値を、アグリゲータ１０に送信する。また、通信部２１は、所定時間間隔毎（例えば５分毎）に機器３０の使用状況に関する情報をアグリゲータ１０に送信する。機器３０の使用状況に関する情報は、機器３０別の情報である。機器３０の使用状況に関する情報には、機器３０の運転／停止に関する情報、機器３０の運転条件に関する情報、機器３０の消費電力に関する情報を含む。また、通信部２１は、所定時間間隔毎（例えば５分毎）にセンサ４０の測定値をアグリゲータ１０に送信する。
【０１２０】
また、通信部２１は、制御装置２０が通信ネットワーク３ｃを介して接続される機器３０を制御する場合に、制御対象の機器３０に対して制御指令を送信する。
【０１２１】
（２−２−２）入力部
入力部２２は、制御装置２０に設けられたスイッチやタッチパネル式ディスプレイ等の入力インターフェイスである。建物２の機器３０のユーザは、制御装置２０に対する各種指令や各種情報を、入力部２２を介して入力可能である。
【０１２２】
具体的には、入力部２２には、機器３０のユーザにより、快適性指標の目標値およびインセンティブ金額の目標値が入力される。入力部２２から快適性指標の目標値およびインセンティブ金額の目標値が入力されると、その値は、通信部２１からアグリゲータ１０に対して送信される。
【０１２３】
また、入力部２２には、機器３０のユーザにより、通信ネットワーク３ｃを介して接続される機器３０の運転設定を変更（設定）するための操作が入力される。なお、入力部２２から変更される機器３０の運転設定には、機器３０の運転／停止、機器３０の運転条件（例えばエアコンであれば、冷房／暖房／送風等の運転モードや、機器３０のユーザが設定した設定温度）、機器３０の運転時間（例えばエアコンであれば、運転開始予約時間や運転停止予約時間）等を含む。
【０１２４】
なお、入力部２２には、抑制要求期間中（デマンドレスポンス制御中）であっても、機器３０の運転設定を変更することが可能である。
【０１２５】
抑制要求期間中には、基本的に、機器３０は、通信部２１が受信した（アグリゲータ１０が生成した）消費電力の抑制指令に基づいた運転設定で運転される。つまり、アグリゲータ１０が、消費電力の抑制指令により、ある機器３０（例えば換気扇）の運転の停止を指示していた場合には、その機器３０の運転は基本的には停止される。また、アグリゲータ１０が、ある機器３０（例えばエアコン）の運転条件の変更（例えば、設定温度を設定値よりも２℃上昇させること）を指示していた場合には、その機器３０の運転条件は基本的には指示された内容に変更される。しかし、入力部２２から機器３０の運転設定を変更することが可能であるため、機器３０のユーザの要望に応じて、消費電力の抑制指令に応じて停止された機器３０を運転したり、消費電力の抑制指令に応じて変更された機器３０の運転条件を更に変更したりすることが可能である。
【０１２６】
（２−２−３）表示部
表示部２３は、例えば、タッチパネル式ディスプレイである。表示部２３には、建物２全体の消費電力や、建物２内の機器３０の使用状況や、機器３０の個別の消費電力が表示可能である。
【０１２７】
また、表示部２３は、デマンドレスポンス制御が終了すると、その度に、アグリゲータ１０から送信されてくる（通信部２１が受信する）デマンドレスポンス制御の可否を示す制御成否表示画面（図４および図５参照）を表示する。さらに、入力部２２に対し、表示切替操作が行われることで、表示部２３は、アグリゲータ１０から送信されてくる（通信部２１が受信する）詳細表示画面（図６〜図８参照）を表示可能である。
【０１２８】
なお、制御成否表示画面は、デマンドレスポンス制御の終了時に表示されることが好ましいが、これに代えて、あるいは、これに加えて、デマンドレスポンス制御の終了後の、任意のタイミングで、機器３０のユーザが必要に応じて表示部２３に表示可能に構成されてもよい。
【０１２９】
（２−２−４）記憶部
記憶部２４は、主に、ＲＡＭ、ＲＯＭ、およびハードディスク等を含む。記憶部２４には、制御部２５により使用される各種プログラムや、各種情報が記憶される。
【０１３０】
記憶部２４には、例えば、通信部２１が受信した、アグリゲータ１０から送信された消費電力の抑制指令や、制御成否表示画面、および、詳細表示画面が記憶される。
【０１３１】
また、記憶部２４には、例えば、通信部２１が機器３０や計測器３０ａと通信を行うことで取得される機器３０の使用状況に関する情報が時系列の情報として記憶される。また、記憶部２４には、例えば、通信部２１がセンサ４０と通信を行うことで取得されるセンサ４０の計測値が時系列の情報として記憶される。また、記憶部２４には、例えば、入力部２２から入力された、快適性指標の目標値およびインセンティブ金額の目標値が記憶される。
【０１３２】
通信部２１が、機器３０の使用状況に関する情報や、センサ４０の計測値や、快適性指標の目標値およびインセンティブ金額の目標値を送信する際には、記憶部２４に記憶されたこれらの情報が読み出されて送信される。
【０１３３】
（２−２−５）制御部
制御部２５は、主にＣＰＵを有し、記憶部２４に記憶されたプログラムを実行することで各種処理を実行する。
【０１３４】
制御部２５は、特に抑制要求期間（デマンドレスポンス制御中）には、通信部２１が受け付けた消費電力の抑制指令や、機器３０のユーザの入力部２２に対する入力に基づいて、通信ネットワーク３ｃにより接続された機器３０の少なくとも一部を制御する。
【０１３５】
（３）特徴
（３−１）
本実施形態の機器制御装置の一例としてのアグリゲータ１０は、抑制要求期間（所定期間）における消費電力（エネルギー消費量）の調整要求を受けて機器３０の制御を行う。アグリゲータ１０は、出力部の一例としての通信部１１と、判定部１５ｃと、を備える。通信部１１は、機器３０のユーザに対して情報を出力する。判定部１５ｃは、デマンドレスポンス制御の成否を、抑制要求期間における機器３０の消費電力に関する情報に基づいて判定する。判定部１５ｃは、判定したデマンドレスポンス制御の成否を、通信部１１に出力させる。デマンドレスポンス制御は、調整要求を受けて行われる抑制要求期間の機器３０の消費電力の調整制御である。
【０１３６】
ここでは、機器３０のユーザに対し、デマンドレスポンス制御の成否が出力されるため、機器３０のユーザは、デマンドレスポンス制御が適切に実行されたかを容易に判断することができる。
【０１３７】
（３−２）
本実施形態のアグリゲータ１０では、通信部１１は、判定部１５ｃにより成否が判定されたデマンドレスポンス制御に関し、デマンドレスポンス制御を実行することで機器３０のユーザが獲得したインセンティブ金額を出力する。
【０１３８】
ここでは、機器３０のユーザに対し、デマンドレスポンス制御の成否に加え、デマンドレスポンス制御により獲得されるインセンティブ金額も出力されるため、デマンドレスポンス制御によりどれだけのメリットを得ることができたのかを機器３０のユーザが定量的に把握することができる。
【０１３９】
（３−３）
本実施形態のアグリゲータ１０では、判定部１５ｃは、デマンドレスポンス制御の成否を、該デマンドレスポンス制御を実行することでユーザが獲得したインセンティブ金額に基づいて判定する。
【０１４０】
ここでは、デマンドレスポンス制御の成否を、機器３０の消費電力に関する情報に加え、機器３０のユーザが獲得したインセンティブ金額に基づいて判定することができ、多面的にデマンドレスポンス制御の成否を判定することができる。
【０１４１】
（３−４）
本実施形態のアグリゲータ１０では、判定部１５ｃは、デマンドレスポンス制御の成否を、抑制要求期間中又は抑制要求期間終了時のユーザの快適性に関する指標に更に基づいて判定する。
【０１４２】
ここでは、デマンドレスポンス制御の成否を、機器３０の消費電力に関する情報に加え、機器３０のユーザの快適性に基づいて判定することができ、多面的にデマンドレスポンス制御の成否を判定することができる。
【０１４３】
なお、本実施形態のアグリゲータ１０では、デマンドレスポンス制御の成否の判定に用いられる快適性に関する指標には、温度、照度、および二酸化炭素濃度を含む。また、快適性に関する指標には、湿度が含まれてもよい。
【０１４４】
ここでは、空調、照明、換気等に関連する快適性指標に基づいて、デマンドレスポンス制御の成否を判定することができる。
【０１４５】
（３−５）
本実施形態のアグリゲータ１０では、通信部１１は、デマンドレスポンス制御の成否に関する詳細情報を出力する。
【０１４６】
ここでは、デマンドレスポンス制御の成否に加え、デマンドレスポンス制御の成否に関する詳細情報が出力されるため、機器３０のユーザは、例えば、デマンドレスポンス制御の失敗の原因や、さらなる改善の余地等を把握することが容易である。
【０１４７】
（３−６）
本実施形態のアグリゲータ１０では、通信部１１は、判定部１５ｃにより成否が判定されたデマンドレスポンス制御に対するアドバイスを更に出力する。
【０１４８】
ここでは、デマンドレスポンス制御の成否に加え、デマンドレスポンス制御に対するアドバイスが出力されるため、機器３０のユーザは、デマンドレスポンス制御をどのように改善すべきか、あるいは、現状のデマンドレスポンス制御がベストなのか等を把握することが容易である。
【０１４９】
（４）変形例
以下に本実施形態の変形例を示す。なお、互いに矛盾しない限り、変形例は適宜組み合わせられてもよい。
【０１５０】
（４−１）変形例１Ａ
上記実施形態では、アグリゲータ１０が機器制御装置として機能するが、これに限定されるものではない。例えば、アグリゲータ１０に代わって制御装置２０が機器制御装置として機能してもよい。
【０１５１】
具体的には、制御装置２０の制御部２５は、上記実施形態における判定部１５ｃおよび画面生成部１５ｄとして機能してもよい。また、制御装置２０の記憶部２４は、その制御装置２０が設置された建物２に関し、上記実施形態における目標消費電力記憶領域１４ｂ、判定基準記憶領域１４ｃ、機器使用状況記憶領域１４ｄ、快適性指標値記憶領域１４ｅ、消費電力記憶領域１４ｆ、および、インセンティブ金額記憶領域１４ｇと同様の情報を記憶するよう構成されてもよい。この場合には、目標消費電力記憶領域１４ｂに記憶される消費電力の目標値、および、インセンティブ金額記憶領域１４ｇに記憶されるインセンティブ金額は、アグリゲータ１０から通信部２１に送信されればよい。制御装置２０の表示部２３は、機器３０のユーザにたいして情報を出力する出力部として機能するよう構成されてもよい。また、制御装置２０の通信部２１は、機器３０のユーザの持つ携帯端末（図示せず）等にたいして情報を出力する出力部として機能するよう構成されてもよい。
【０１５２】
このように構成されることで、アグリゲータ１０で全建物２に関してデマンドレスポンス制御の成否を判定する必要がなくなり、アグリゲータ１０の演算負荷を低減することができる。
【０１５３】
（４−２）変形例１Ｂ
上記実施形態では、アグリゲータ１０は、管理装置１ａの消費電力の調整要求を受けて、複数の建物２の消費電力の合計が全体許容消費電力以下になるよう、消費電力を調整するが、これに限定されるものではない。例えば、アグリゲータ１０は、管理装置１ａの消費電力の調整要求を受けて、複数の建物２内の特定の機器３０（例えばエアコン）の消費電力の合計が全体許容消費電力以下になるよう、消費電力を調整するものであってもよい。このような場合には、アグリゲータ１０は、建物２内の特定の機器３０の消費電力に関する情報に基づいて（特定の機器３０以外の消費電力は考慮せずに）、デマンドレスポンス制御の成否を判定するよう構成されてもよい。また、このような場合には、制御装置２０は、特定の機器３０だけを制御する装置（例えば、特定の機器３０がエアコンであればサーモスタット等）であってもよい。
【０１５４】
（４−３）変形例１Ｃ
上記実施形態では、出力部としての通信部１１は、判定結果表示画面および詳細表示画面の画像データを制御装置２０の通信部２１に対して送信するが、これに限定されるものではない。出力部としての通信部１１は、機器３０のユーザの持つ携帯端末（図示せず）等に対して画像データを出力するよう構成されてもよい。
【０１５５】
（４−４）変形例１Ｄ
上記実施形態では、判定部１５ｃは、消費電力に関する条件、インセンティブ金額に関する条件、および快適性に関する条件に基づいて、デマンドレスポンス制御の成否を判定するが、これに限定されるものではない。例えば、判定部１５ｃは、消費電力に関する条件だけに基づいて、あるいは、消費電力に関する条件と、インセンティブ金額に関する条件および快適性に関する条件のいずれかと、に基づいて、デマンドレスポンス制御の成否を判定してもよい。
【０１５６】
（４−５）変形例１Ｅ
上記実施形態では、アグリゲータ１０から判定結果表示画面および詳細表示画面の画像データが制御装置２０に対して送信されるが、これに限定されるものではない。アグリゲータ１０からは、判定結果表示画面および詳細表示画面を生成する上で必要な情報だけが制御装置２０に対して送信され、制御装置２０で画面が生成されるよう構成されてもよい。
【０１５７】
（４−６）変形例１Ｆ
上記実施形態では、管理装置１ａは、消費電力の調整要求として、消費電力の抑制を要求するが、これに限定されるものではない。例えば、管理装置１ａは、消費電力の調整要求として消費電力の増大を要求し、判定部１５ｃは、デマンドレスポンス制御の結果、消費電力が消費電力の目標値以上になっている場合に、デマンドレスポンス制御が消費電力に関する条件を満たしていると判定するものであってもよい。
【０１５８】
（４−７）変形例１Ｇ
上記実施形態では、機器３０の消費電力が計測器３０ａにより個別に測定されるが、これに限定されるものではなく、機器３０の個別の消費電力は測定されなくてもよい。ただし、デマンドレスポンス制御を精度よく行い、デマンドレスポンス制御の成否の原因を把握する上では、機器３０の消費電力が計測器３０ａにより個別に測定されることが好ましい。
【０１５９】
＜第２実施形態＞
（１）全体構成
図９は、本発明の機器制御装置の第２実施形態に係る制御装置２２０を含む、電力管理システム２００の概略全体図である。
【０１６０】
電力管理システム２００は、電力供給者としての電力会社１と、電力需要者としての複数の建物２とを主に含む（図９参照）。電力管理システム２００には、アグリゲータ１０は含まれない。
【０１６１】
電力会社１は、自ら発電した電力、および／又は、他者が発電した電力を、複数の建物２を含む電力需要者に供給する。電力会社１は、図９のように、管理装置２０１ａを有する。
【０１６２】
管理装置２０１ａは、図９のように、各建物２の制御装置２２０と、インターネット等の通信ネットワーク３ａにより接続されている。管理装置２０１ａは、電力会社１の電力供給量と、電力需要者の電力需要量とを予測し、電力供給量と電力需要量とがバランスするかを判断する。管理装置２０１ａは、電力需要量と電力供給量とがバランスしないと判断した場合に、制御装置２２０に消費電力の調整を要求する。具体的には、管理装置２０１ａは、電力需要が電力供給を上回ると判断した場合に、制御装置２２０に消費電力の抑制を要求する。
【０１６３】
管理装置２０１ａは、第１実施形態とは異なり、期間別の電力単価を、消費電力の調整要求として送信する。言い換えれば、管理装置２０１ａは、第１実施形態とは異なり、消費電力をどこまで抑制すればよいかを制御装置２２０に伝えない。つまり、管理装置２０１ａの消費電力の調整要求には、消費電力の目標値は含まれない。管理装置２０１ａは、電力需要が電力供給を上回ると判断した期間の電力単価を高く設定することで、制御装置２２０に対して消費電力の抑制を要求する。
【０１６４】
建物２は、第１実施形態と同様に、ここでは住宅である。建物２は、建物全体を意味するものでなくてもよく、例えば集合住宅内の１つの区画であってもよい。また、建物２は、住宅に限定されるものではなく、オフィスビル、商業施設、工場等であってもよい。
【０１６５】
建物２には、制御装置２２０、複数の機器３０、複数の計測器３０ａ、複数のセンサ４０、および電力計５０が設置されている。なお、ここでは、建物２に、複数の機器３０、計測器３０ａ、およびセンサ４０が設置されているが、機器３０、および／又は、計測器３０ａ、および／又は、センサ４０は、１台であってもよい。制御装置２２０は、計測器３０ａ、センサ４０、および電力計５０と、ＬＡＮ等の通信ネットワーク３ｃにより接続されている。また、制御装置２２０は、少なくとも１台の機器３０とＬＡＮ等の通信ネットワーク３ｃにより接続されている。なお、制御装置２２０は、全ての機器３０とＬＡＮ等の通信ネットワーク３ｃにより接続されていてもよい。また、制御装置２２０は、管理装置２０１ａと、通信ネットワーク３ａにより接続されている。電力計５０も、管理装置２０１ａと、通信ネットワーク３ａにより接続されている。
【０１６６】
機器３０、センサ４０については、第１実施形態と同様であるので、説明は省略する。
【０１６７】
電力計５０は、管理装置２０１ａおよび制御装置２２０と通信可能なスマートメータである。電力計５０は、建物２における消費電力、消費電力量等を計測する。電力計５０は、所定時間間隔で制御装置２２０に建物２の消費電力に関する情報を送信する。例えば、電力計５０は、連続的に建物２の消費電力の計測を行い、１分間隔で、過去１分間に計測された最大消費電力の値を、制御装置２２０に送信する。ただし、電力計５０の動作は一例であって、上記のものに限定されない。
【０１６８】
制御装置２２０は、通信ネットワーク３ｃを介して接続された機器３０と通信を行い、また計測器３０ａから機器３０の消費電力に関する情報を受信することで、各機器３０の使用状況に関する情報を取得する。制御装置２２０が取得する各機器３０の使用状況に関する情報には、各機器３０の運転／停止に関する情報、各機器３０の運転条件（機器３０が例えばエアコンであれば、運転モードや設定温度等）に関する情報、および、各機器３０の消費電力に関する情報等が含まれる。また、制御装置２２０は、複数のセンサ４０から各種測定値を取得する。
【０１６９】
制御装置２２０は、管理装置２０１ａの消費電力の調整要求（期間別の電力単価）を受けて、高電力単価期間（電力単価が、後述する機器３０のユーザにより入力された基準値以上の期間）に、機器３０の消費電力の調整制御（デマンドレスポンス制御）を行う。制御装置２２０は、デマンドレスポンス制御のため、通信ネットワーク３ｃにより制御装置２２０と接続された機器３０の運転を制御する。また、制御装置２２０は、高電力単価期間における、デマンドレスポンス制御の成否を、高電力単価期間における機器３０の消費電力に関する情報、より具体的には、高電力単価期間に機器３０の消費電力を抑制することで抑制できた電気料金（抑制金額）に基づいて判定する。制御装置２２０は、デマンドレスポンス制御の成否の判定結果を、後述する表示部２２３に出力させる。
【０１７０】
（２）詳細構成
以下に、制御装置２２０について説明する。
【０１７１】
（２−１）制御装置
制御装置２２０は、第１実施形態の制御装置２０と同様に、例えば、ＨＥＭＳ（Home Energy Management System）で用いられるコントローラである。制御装置２２０は、建物２全体の消費電力や、建物２内の機器３０の使用状況や、機器３０の個別の消費電力を表示可能に構成される。また、制御装置２２０は、高電力単価期間に、建物２内の通信ネットワーク３ｃにより接続された機器３０の動作を、予め記憶していた制御内容や、機器３０のユーザの入力に基づいて制御する。
【０１７２】
制御装置２２０は、主に、通信部２２１、入力部２２２、表示部２２３、記憶部２２４、および制御部２２５を備える（図１０参照）。
【０１７３】
（２−１−１）通信部
通信部２２１は、通信ネットワーク３ａを介して接続される管理装置２０１ａや、通信ネットワーク３ｃを介して接続される機器３０、計測器３０ａ、センサ４０、および電力計５０との通信を可能にする通信インターフェイスである。
【０１７４】
通信部２２１は、管理装置２０１ａから期間別の電力単価を受信する。
【０１７５】
また、通信部２２１は、電力計５０から所定時間間隔で建物２の消費電力に関する情報を受信する。例えば、電力計５０は、連続的に建物２の消費電力の計測を行い、１分間隔で、過去１分間に計測された最大消費電力の値を通信部２２１に送信する。ただし、第１実施形態に係る電力計５０のアグリゲータ１０に対する建物２の消費電力に関する情報の送信動作と同様に、電力計５０の動作は上記のものに限定されない。
【０１７６】
通信部２２１と、機器３０、計測器３０ａ、およびセンサ４０との通信については、第１実施形態と同様であるので、説明を省略する。
【０１７７】
（２−１−２）入力部
入力部２２２は、制御装置２２０に設けられたスイッチやタッチパネル式ディスプレイ等の入力インターフェイスである。機器３０のユーザは、制御装置２２０に対する各種指令や各種情報を、入力部２２２を介して入力可能である。
【０１７８】
具体的には、入力部２２２には、機器３０のユーザにより、電力単価の基準値、快適性指標の目標値、および、抑制金額の目標値が入力される。入力部２２２に電力単価の基準値が入力されることで、電力単価が基準値以上の期間（高電力単価期間）に、制御装置２２０によりデマンドレスポンス制御が実行される。抑制金額の目標値とは、高電力単価期間に機器３０の消費電力を抑制することで獲得できる電気料金の抑制額の目標値である。電力単価の基準値、快適性指標の目標値、および、抑制金額の目標値が入力部２２２から入力されると、これらの値は、後述する記憶部２２４の判定基準記憶領域２２４ｃに記憶される。
【０１７９】
入力部２２２には、機器３０のユーザにより、通信ネットワーク３ｃを介して接続される機器３０の、通常時の（高電力単価期間以外の期間のための）運転設定を変更（設定）するための操作が入力される。なお、入力部２２２から変更される機器３０の運転設定は、第１実施形態における入力部２２から変更される機器３０の運転設定と同様である。
【０１８０】
また、入力部２２２には、機器３０のユーザにより、高電力単価期間の機器３０の制御内容も入力される。言い換えれば、入力部２２２には、デマンドレスポンス制御（すなわち、管理装置２０１ａからの調整要求（期間別の電力単価）を受けて行われる、高電力単価期間の機器３０の消費電力の調整制御）の内容が入力される。なお、デマンドレスポンス制御の内容は、デマンドレスポンス制御の途中であっても、入力部２２２から変更可能に構成されている。
【０１８１】
（２−１−３）表示部
表示部２２３は、例えば、タッチパネル式ディスプレイである。表示部２２３には、建物２全体の消費電力や、建物２内の機器３０の使用状況や、機器３０の個別の消費電力が表示可能である。
【０１８２】
表示部２２３は、出力部の一例である。表示部２２３は、デマンドレスポンス制御が終了すると、その度に、後述する制御部２２５の画面生成部２２５ｄにより生成される、デマンドレスポンス制御の可否を示す制御成否表示画面（図１１の画面Ｓ２０１参照）を表示（出力）する。さらに、入力部２２２に対し、画面の切替操作が行われることで、表示部２２３は、後述する制御部２２５の画面生成部２２５ｄにより生成される、詳細表示画面（図１２の画面Ｓ２１２および図１３の画面Ｓ２１３参照）を表示可能である。
【０１８３】
なお、制御成否表示画面は、デマンドレスポンス制御の終了時に表示されることが好ましいが、これに代えて、あるいは、これに加えて、デマンドレスポンス制御の終了後の、任意のタイミングで、機器３０のユーザが必要に応じて表示部２２３に表示可能に構成されてもよい。
【０１８４】
（２−１−４）記憶部
記憶部２２４は、主に、ＲＡＭ、ＲＯＭ、およびハードディスク等を含む。記憶部２２４には、制御部２２５により使用される各種プログラムや、各種情報が記憶される。
【０１８５】
記憶部２２４は、情報の記憶領域として、電力単価記憶領域２２４ａ、制御内容記憶領域２２４ｂ、判定基準記憶領域２２４ｃ、機器使用状況記憶領域２２４ｄ、快適性指標値記憶領域２２４ｅ、消費電力記憶領域２２４ｆ、および、抑制金額記憶領域２２４ｇを含む。
【０１８６】
（２−１−４−１）電力単価記憶領域
電力単価記憶領域２２４ａには、通信部２２１が管理装置２０１ａから受信した、期間別の電力単価が記憶される。
【０１８７】
（２−１−４−２）制御内容記憶領域
制御内容記憶領域２２４ｂには、入力部２２２から入力されたデマンドレスポンス制御の内容が記憶される。デマンドレスポンス制御の内容は、具体的には、例えば、高電力単価期間に機器３０に含まれる換気扇を停止する、高電力単価の期間に機器３０に含まれるエアコンの設定温度を、冷房運転時であれば２℃上昇させる、暖房運転時であれば２℃低下させる、等である。
【０１８８】
（２−１−４−３）判定基準記憶領域
判定基準記憶領域２２４ｃには、入力部２２２から入力された、電力単価の基準値、快適性指標の目標値、および、抑制金額の目標値が記憶される。
【０１８９】
（２−１−４−４）機器使用状況記憶領域
機器使用状況記憶領域２２４ｄは、通信部２２１が機器３０から受信する機器３０の運転／停止に関する情報および機器３０の運転条件に関する情報と、通信部２２１が計測器３０ａから受信する機器３０の消費電力に関する情報とを、機器３０の使用状況に関する情報として時系列に記憶する。
【０１９０】
（２−１−４−５）快適性指標値記憶領域
快適性指標値記憶領域２２４ｅは、通信部２２１がセンサ４０から受信する測定値（快適性指標値）を記憶する。具体的には、快適性指標値記憶領域２２４ｅは、各建物２のセンサ４０が測定した、室温、照度、および二酸化炭素濃度を記憶する。快適性指標値記憶領域２２４ｅには、センサ４０の測定値が、センサ４０別の時系列の情報として記憶される。
【０１９１】
（２−１−４−６）消費電力記憶領域
消費電力記憶領域２２４ｆは、通信部２２１が電力計５０から受信した、制御装置２０の設置された建物２の消費電力に関する情報を時系列に記憶する。
【０１９２】
（２−１−４−７）抑制金額記憶領域
抑制金額記憶領域２２４ｇは、後述する制御部２２５の抑制金額算出部２２５ｂが算出する抑制金額を記憶する。
【０１９３】
（２−１−５）制御部
制御部２２５は、主にＣＰＵからなり、記憶部２２４に記憶されたプログラムを実行することで各種処理を実行する。
【０１９４】
制御部２２５は、記憶部２２４に記憶されたプログラムを実行することで、主に制御指令生成部２２５ａ、抑制金額算出部２２５ｂ、判定部２２５ｃ、および画面生成部２２５ｄとして機能する。
【０１９５】
（２−１−５−１）制御指令生成部
制御指令生成部２２５ａは、消費電力の調整要求（期間別の電力単価）を受けて、デマンドレスポンス制御が実行されるように、機器３０の消費電力の調整制御のための制御指令を生成する。
【０１９６】
具体的には、制御指令生成部２２５ａは、電力単価記憶領域２２４ａに記憶された期間別の電力単価に基づいて、電力単価が判定基準記憶領域２２４ｃに記憶された電力単価の基準値を超過する期間（高電力単価期間）に関して、機器３０の制御指令を生成する。制御指令生成部２２５ａは、高電力単価期間に制御内容記憶領域２２４ｂに記憶された制御内容が実現されるよう、消費電力の調整制御の対象となる機器３０に対し、機器３０を制御する指令を生成する。制御指令生成部２２５ａは、高電力単価期間開始時に制御指令を生成し、消費電力の調整制御の対象となる機器３０に対し制御指令を送信する。また、高電力単価期間に入力部２２２からの入力により制御内容記憶領域２２４ｂの内容が書き換えられた場合にも、制御指令生成部２２５ａは、制御指令を生成し、消費電力の調整制御の対象となる機器３０に対し制御指令を送信する。
【０１９７】
（２−１−５−２）抑制金額算出部
抑制金額算出部２２５ｂは、高電力単価期間の終了後（建物２においてデマンドレスポンス制御が実行された後）に、抑制金額を算出する。抑制金額は、高電力単価機関にデマンドレスポンス制御を実行し、機器３０の消費電力を調整することで機器３０のユーザが獲得する金銭的利益の額である。
【０１９８】
具体的には、抑制金額算出部２２５ｂは、まず、消費電力記憶領域１４ｆに記憶された消費電力に関する情報に基づいて、高電力単価期間にデマンドレスポンス制御が実行されたことで抑制された電力量を算出する。より具体的には、抑制金額算出部２２５ｂは、初めに、消費電力記憶領域１４ｆに記憶された消費電力に関する情報に基づいて、デマンドレスポンス制御の実行開始前の消費電力と、デマンドレスポンス制御の実行中の消費電力の平均値との差を算出する。次に、抑制金額算出部２２５ｂは、デマンドレスポンス制御の実行開始前の消費電力とデマンドレスポンス制御の実行中の消費電力の平均値との差に、高電力単価期間の長さ（時間）を乗ずることで、デマンドレスポンス制御中に抑制された電力量を算出する。抑制金額算出部２２５ｂは、次に、電力単価記憶領域２２４ａに記憶された期間別の電力単価に基づいて、デマンドレスポンス制御が実行されたことで抑制された電力量に、高電力単価期間の電力単価を乗ずることで、デマンドレスポンス制御が実行されたことで抑制された抑制金額を算出する。ただし、抑制金額算出部２２５ｂによる抑制金額の算出方法は一例であり、これに限定されるものではない。
【０１９９】
抑制金額算出部２２５ｂにより作成された抑制金額は、抑制金額記憶領域２２４ｇに記憶される。
【０２００】
（２−１−５−３）判定部
判定部２２５ｃは、管理装置２０１ａからの消費電力の調整要求を受けて、建物２において行われる、高電力単価期間の機器３０の消費電力の調整制御（デマンドレスポンス制御）の成否を判定する。判定部２２５ｃは、高電力単価期間が終了する度に、建物２について、デマンドレスポンス制御の成否を判定する。
【０２０１】
さらに、判定部２２５ｃは、デマンドレスポンス制御の成否を判定する度に、表示部２２３に、その判定結果（デマンドレスポンス制御の成否）を出力させる。具体的には、判定部２２５ｃは、デマンドレスポンス制御の成否の結果を用いて、デマンドレスポンス制御の成否を示す画面を生成するよう画面生成部２２５ｄに指示する。画面生成部２２５ｄは、判定部２２５ｃの指示を受けて、デマンドレスポンス制御の成否を示す画面を生成し、その画面を表示部２２３に出力させる。
【０２０２】
以下に、デマンドレスポンス制御の成否の判定処理について説明する。
【０２０３】
（２−１−５−３−１）デマンドレスポンス制御の成否の判定処理
判定部２２５ｃは、判定基準記憶領域２２４ｃに記憶された、快適性指標の目標値およびと、快適性指標値記憶領域２２４ｅに記憶されたセンサ４０別の測定値（快適性指標値）と、抑制金額記憶領域２２４ｇに記憶された抑制金額と、に基づいて、デマンドレスポンス制御の成否を判定する。
【０２０４】
具体的には、判定部２２５ｃは、以下の２つの条件に関して判定を行い、全ての条件を満たす場合に、デマンドレスポンス制御が成功したと判定する。一方、判定部２２５ｃは、以下の２つの条件を１つでも満たさない場合、デマンドレスポンス制御が失敗したと判定する。
【０２０５】
（Ａ）抑制金額（消費電力）に関する条件
判定部２２５ｃは、高電力単価期間における機器３０の消費電力に関する情報としての、高電力単価期間にデマンドレスポンス制御を実行し機器３０の消費電力を調整することで機器３０のユーザが獲得した金銭的利益の額（抑制金額）と、所定の基準額とを比較することで、デマンドレスポンス制御の成否を判定する。具体的には、判定部２２５ｃは、抑制金額記憶領域２２４ｇに記憶された実際の抑制金額が、判定基準記憶領域２２４ｃに記憶された抑制金額の目標値以上である場合に、建物２が抑制金額に関する条件を満たしたと判定する。
【０２０６】
（Ｂ）快適性に関する条件
判定部２２５ｃは、快適性指標の目標値と、センサ４０別の測定値とに基づいて、高電力単価期間中又は高電力単価期間終了時の測定値が、快適性指標の目標値を満足するかを判定する。
【０２０７】
具体例を挙げて説明すれば、例えば、判定部２２５ｃは、建物２で冷房が行われている場合であれば、センサ４０で計測された温度の値が、高電力単価期間中および高電力単価期間終了時に、温度の目標値以下であるか判定する。また、例えば、判定部２２５ｃは、センサ４０で計測された照度の値が、高電力単価期間中に、照度の目標値を以上であるか判定する。また、例えば、判定部２２５ｃは、センサ４０で計測された二酸化炭素濃度の値が、高電力単価期間終了時に、二酸化炭素濃度の目標値を以下であるか判定する。
【０２０８】
判定部２２５ｃは、全てのセンサ４０の測定値が、快適性指標の目標値を満足する場合、建物２が快適性に関する条件を満たしたと判定する。
【０２０９】
（２−１−５−４）画面生成部
画面生成部２２５ｄは、判定部２２５ｃの指示に従い、判定部２２５ｃのデマンドレスポンス制御の成否の判定結果を用いて、デマンドレスポンス制御の成否を表示する画面（制御成否表示画面）を生成する。また、画面生成部２２５ｄは、デマンドレスポンス制御に関する詳細情報の表示画面（詳細表示画面）を生成する。制御成否表示画面および詳細表示画面は、表示部２２３に表示させるための画面である。
【０２１０】
画面生成部２２５ｄの生成する制御成否表示画面は、例えば、図１１に示す画面Ｓ２０１のような画面である。図１１に示す画面Ｓ２０１は、判定部２２５ｃによりデマンドレスポンス制御が成功と判定された場合の制御成否表示画面の例である。画面生成部２２５ｄは、判定基準記憶領域２２４ｃ、快適性指標値記憶領域２２４ｅ、消費電力記憶領域２２４ｆ、および、抑制金額記憶領域２２４ｇに記憶された情報に基づいて、制御成否表示画面を生成する。
【０２１１】
制御成否表示画面に表示される内容には、図４のように、デマンドレスポンス制御の成否の判定結果のほか、デマンドレスポンス制御の成否に関する詳細情報を含む。デマンドレスポンス制御の成否に関する詳細情報には、例えば、高電力単価期間の最大消費電力を含む。また、デマンドレスポンス制御の成否に関する詳細情報には、例えば、抑制金額の目標値、および、デマンドレスポンス制御を実行することで機器３０のユーザが実際に獲得した抑制金額を含む。また、デマンドレスポンス制御の成否に関する詳細情報には、例えば、各建物２の、室温の目標値および高電力単価期間終了時の室温（実測値）を含む。また、デマンドレスポンス制御の成否に関する詳細情報には、例えば、各建物２の、照度の目標値および高電力単価期間中の照度の最小値（実測値）を含む。また、デマンドレスポンス制御の成否に関する詳細情報には、例えば、各建物２の、二酸化炭素濃度の目標値および高電力単価期間終了時の二酸化炭素濃度（実測値）を含む。また、デマンドレスポンス制御の成否に関する詳細情報には、抑制金額、室温、照度、二酸化炭素濃度が、目標値を満足しているか否かの判定結果が含まれる。このように、１つの画面（制御成否表示画面）に、デマンドレスポンス制御の成否の判定結果と共に、デマンドレスポンス制御の判定の基礎となった各条件の判定結果が表示されるため、デマンドレスポンス制御が失敗であった場合に、その原因を容易に確認することができる。
【０２１２】
画面生成部１５ｄの生成する詳細表示画面は、例えば、図１２に示す画面Ｓ２１２や、図１３に示す画面Ｓ２１３のような画面である。
【０２１３】
第２実施形態では、消費電力の目標値が存在しないため、図１２に示す画面Ｓ２１２は、第１実施形態においてアグリゲータ１０の画面生成部１５ｄが生成する図８の画面Ｓ１２と一部が異なるが、画面Ｓ２１２には消費電力の目標値に関する表示がなされない点を除いては、概ね画面Ｓ１２と同様であるため、説明は省略する。
【０２１４】
また、図１３に示す画面Ｓ２１３は、第１実施形態においてアグリゲータ１０の画面生成部１５ｄが生成する図９の画面Ｓ１３と、インセンティブ金額の代わりに抑制金額が表示される点を除いては概ね同様であるため、説明は省略する。
【０２１５】
（３）特徴
（３−１）
本実施形態の機器制御装置の一例としての制御装置２２０は、高電力単価期間（所定期間）における消費電力（エネルギー消費量）の調整要求を受けて機器３０の制御を行う。制御装置２２０は、出力部の一例としての表示部２２３と、判定部２２５ｃと、を備える。表示部２２３は、機器３０のユーザに対して情報を出力（表示）する。判定部２２５ｃは、デマンドレスポンス制御の成否を、高電力単価期間における機器３０の消費電力に関する情報に基づいて判定する。判定部２２５ｃは、判定したデマンドレスポンス制御の成否を、表示部２２３に出力させる。デマンドレスポンス制御は、調整要求を受けて行われる高電力単価期間の機器３０の消費電力の調整制御である。
【０２１６】
ここでは、機器３０のユーザに対し、デマンドレスポンス制御の成否が出力されるため、機器３０のユーザは、デマンドレスポンス制御が適切に実行されたかを容易に判断することができる。
【０２１７】
（３−２）
本実施形態の制御装置２２０では、制御装置２２０が受ける管理装置２０１ａの調整要求に消費電力の目標値が含まれない。判定部２２５ｃは、高電力単価期間における機器の消費電力に関する情報としての、高電力単価期間にデマンドレスポンス制御を実行し機器３０のエネルギー消費量を調整することで機器３０のユーザが獲得した金銭的利益の額（抑制金額）と、抑制金額の目標値（所定の基準額）とを比較することで、デマンドレスポンス制御の成否を判定する。
【０２１８】
ここでは、管理装置２０１ａの調整要求が消費電力の目標値を含まない場合であっても、デマンドレスポンスを実行して機器３０の消費電力を調整することで機器３０のユーザが獲得した金銭的利益の額に基づいてデマンドレスポンス制御の成否を判定することができる。
【０２１９】
（３−３）
本実施形態の制御装置２２０では、表示部２２３は、デマンドレスポンス制御の成否に関する詳細情報を出力する。
【０２２０】
ここでは、デマンドレスポンス制御の成否に加え、デマンドレスポンス制御の成否に関する詳細情報が出力されるため、機器３０のユーザは、例えば、デマンドレスポンス制御の失敗の原因や、さらなる改善の余地等を把握することが容易である。
【０２２１】
（３−４）
本実施形態の制御装置２２０では、表示部２２３は、判定部２２５ｃにより成否が判定されたデマンドレスポンス制御に対するアドバイスを更に出力する。
【０２２２】
ここでは、デマンドレスポンス制御の成否に加え、デマンドレスポンス制御に対するアドバイスが出力されるため、機器３０のユーザは、デマンドレスポンス制御をどのように改善すべきか、あるいは、現状のデマンドレスポンス制御がベストなのか等を把握することが容易である。
【０２２３】
（３−５）
本実施形態の制御装置２２０では、判定部２２５ｃは、デマンドレスポンス制御の成否を、高電力単価期間中又は高電力単価期間終了時のユーザの快適性に関する指標に基づいて判定する。
【０２２４】
ここでは、デマンドレスポンス制御の成否を、機器３０の消費電力に関する情報に加え、機器３０のユーザの快適性に基づいて判定することができ、多面的にデマンドレスポンス制御の成否を判定することができる。
【０２２５】
なお、本実施形態の制御装置２２０では、デマンドレスポンス制御の成否の判定に用いられる快適性に関する指標には、温度、照度、および二酸化炭素濃度を含む。また、快適性に関する指標には、湿度が含まれてもよい。
【０２２６】
ここでは、空調、照明、換気等に関連する快適性指標に基づいて、デマンドレスポンス制御の成否を判定することができる。
【０２２７】
（４）変形例
以下に本実施形態の変形例を示す。なお、互いに矛盾しない限り、変形例は適宜組み合わせられてもよい。
【０２２８】
（４−１）変形例２Ａ
上記実施形態では、制御装置２２０は、デマンドレスポンス制御前と、デマンドレスポンス制御中との、建物２の消費電力の合計の変化に基づいて、抑制された電力量を算出し、抑制金額を算出するが、これに限定されるものではない。
【０２２９】
例えば、制御装置２２０は、デマンドレスポンス制御前と、デマンドレスポンス制御中との、デマンドレスポンス制御対象の機器３０の消費電力の変化に基づいて抑制金額を算出するものであってもよい。つまり、制御装置２２０は、建物２の機器３０の全体についてデマンドレスポンス制御の成否を判定するものではなく、デマンドレスポンス制御の対象である機器３０についてのみ、デマンドレスポンス制御の成否を判定するものであってもよい。
【０２３０】
（４−２）変形例２Ｂ
上記実施形態では、出力部としての表示部２２３が、判定結果表示画面および詳細表示画面を出力（表示）するが、これに限定されるものではない。例えば、通信部２２１が出力部として機能し、機器３０のユーザの持つ携帯端末（図示せず）等に対して判定結果表示画面および詳細表示画面の画像データを出力（送信）するよう構成されてもよい。なお、通信部２２１が携帯端末等に対して出力を行う場合には、判定結果表示画面および詳細表示画面の画像データに代えて、判定結果表示画面および詳細表示画面を生成する上で必要な情報だけが携帯端末に対して送信され、携帯端末で画面が生成されるよう構成されてもよい。
【０２３１】
（４−３）変形例２Ｃ
上記実施形態では、判定部２２５ｃは、抑制金額（消費電力）に関する条件、快適性に関する条件に基づいて、デマンドレスポンス制御の成否を判定するが、これに限定されるものではない。例えば、判定部２２５ｃは、抑制金額に関する条件だけに基づいて、デマンドレスポンス制御の成否を判定してもよい。
【０２３２】
（４−４）変形例２Ｄ
上記実施形態では、機器３０の消費電力が計測器３０ａにより個別に測定されるが、これに限定されるものではなく、機器３０の個別の消費電力は測定されなくてもよい。ただし、デマンドレスポンス制御を精度よく行い、デマンドレスポンス制御の成否の原因を把握する上では、機器３０の消費電力が計測器３０ａにより個別に測定されることが好ましい。
【産業上の利用可能性】
【０２３３】
本発明は、エネルギー消費量の調整要求を受けて機器の制御を行う機器制御装置に適用可能であり、デマンドレスポンス制御が適切に実行されたか否かを容易に判断可能な機器制御装置として有用である。
【符号の説明】
【０２３４】
１０  アグリゲータ（機器制御装置）
１１  通信部（出力部）
１５ｃ  判定部
３０  機器
２２０  制御装置（機器制御装置）
２２１  通信部（出力部）
２２３  表示部（出力部）
２２５ｃ  判定部
【先行技術文献】
【特許文献】
【０２３５】
【特許文献１】特開２０１４−２１７１５７号公報